(57)【要約】  異なるサブフレーム番号のセカンダリ同期チャネルに乗算するスクランブル符号を変えることにより、隣接セルからの干渉をランダムにするという効果を保ちつつ、移動局装置が保持する必要のある符号数を削減すると共に、移動局装置の回路規模と計算量の削減を図る。基地局装置情報に基づいてプライマリ同期チャネルを生成するプライマリ同期チャネル生成部５０と、基地局装置情報に基づいて第１の信号および第２の信号の組み合わせによって構成されるセカンダリ同期チャネルを生成するセカンダリ同期チャネル生成部５１と、前記セカンダリ同期チャネルに乗算する第１のスクランブル符号を前記プライマリ同期チャネルに基づいて生成する第１のスクランブル符号生成部５２と、前記第２の信号に乗算する第２のスクランブル符号を前記第１の信号に基づいて生成する第２のスクランブル符号生成部５３と、を備える。 
2009020017.tif 000002
【特許請求の範囲】
【請求項１】
マルチキャリア通信システムに適用される基地局装置であって、
基地局装置情報に基づいてプライマリ同期チャネルを生成するプライマリ同期チャネル生成部と、
基地局装置情報に基づいて第１の信号および第２の信号の組み合わせによって構成されるセカンダリ同期チャネルを生成するセカンダリ同期チャネル生成部と、
前記セカンダリ同期チャネルに乗算する第１のスクランブル符号を前記プライマリ同期チャネルに基づいて生成する第１のスクランブル符号生成部と、
前記第２の信号に乗算する第２のスクランブル符号を前記第１の信号に基づいて生成する第２のスクランブル符号生成部と、を備え、
フレームタイミング情報を、前記第１または第２のスクランブル符号生成部のいずれか一方に入力し、前記入力したフレームタイミング情報に基づいて生成した前記第１または第２のスクランブル符号を、異なるサブフレームを識別する識別情報として使用することを特徴とする基地局装置。
【請求項２】
前記第１のスクランブル符号生成部は、前記プライマリ同期チャネルに基づいて、前記第１の信号に乗算する系列を生成し、更に前記第１の信号に乗算する系列に対して所定の巡回シフトを行なうことによって、前記第２の信号に乗算する系列を生成し、前記２つの系列を組み合わせることによって前記第１のスクランブル符号を生成し、
前記第２のスクランブル符号生成部は、前記第１の信号およびフレームタイミング情報に基づいて、２つの異なる第２のスクランブル符号を生成し、
前記生成した各第２のスクランブル符号を、異なるサブフレームを識別する識別情報として使用することを特徴とする請求項１記載の基地局装置。
【請求項３】
周波数軸方向で、前記第１の信号および第２の信号をサブフレーム毎に交互に配置するマッピングを行なうマッピング部を更に備え、
前記第１のスクランブル符号生成部は、前記プライマリ同期チャネルに基づいて、前記第１の信号に乗算する系列を生成し、更に前記第１の信号に乗算する系列に対して所定の巡回シフトを行なうことによって、前記第２の信号に乗算する系列を生成し、前記２つの系列を組み合わせることによって前記第１のスクランブル符号を生成し、
前記第２のスクランブル符号生成部は、前記第１の信号およびフレームタイミング情報に基づいて、２つの異なる第２のスクランブル符号を生成し、
前記生成した各第２のスクランブル符号を、異なるサブフレームを識別する識別情報として使用することを特徴とする請求項１記載の基地局装置。
【請求項４】
請求項２または請求項３記載の基地局装置から送信されたプライマリ同期チャネルおよびセカンダリ同期チャネルを受信し、少なくともフレームタイミング情報および基地局装置情報を取得する移動局装置であって、
受信した前記プライマリ同期チャネルに基づいて第１のスクランブル符号を選択する選択部と、
受信した前記セカンダリ同期チャネルと前記選択した第１のスクランブル符号とに基づいて、相関値を算出することにより第１の信号を検出する一方、前記セカンダリ同期チャネルと、前記検出した第１の信号に基づく第２のスクランブル符号とに基づいて、相関値を算出することにより第２の信号を検出し、前記検出した第１および第２の信号に基づいて、少なくともフレームタイミング情報および基地局装置情報を取得する検出部と、を備えることを特徴とする移動局装置。
【請求項５】
請求項２または請求項３記載の基地局装置と、請求項４記載の移動局装置と、から構成されることを特徴とする通信システム。
【請求項６】
マルチキャリア通信システムに適用される通信方法であって、
プライマリ同期チャネル生成部において、基地局装置情報に基づいてプライマリ同期チャネルを生成するステップと、
セカンダリ同期チャネル生成部において、基地局装置情報に基づいて第１の信号および第２の信号の組み合わせによって構成されるセカンダリ同期チャネルを生成するステップと、
第１のスクランブル符号生成部において、前記セカンダリ同期チャネルに乗算する第１のスクランブル符号を前記プライマリ同期チャネルに基づいて生成するステップと、
第２のスクランブル符号生成部において、前記第２の信号に乗算する第２のスクランブル符号を前記第１の信号に基づいて生成するステップと、
フレームタイミング情報を、前記第１または第２のスクランブル符号生成部のいずれか一方に入力するステップと、を少なくとも含み、
前記入力したフレームタイミング情報に基づいて生成した前記第１または第２のスクランブル符号を、異なるサブフレームを識別する識別情報として使用することを特徴とする通信方法。
【発明の詳細な説明】
【技術分野】
【０００１】
本発明は、マルチキャリア通信システムに適用される基地局装置および移動局装置、並びにマルチキャリアを使用する通信システムおよび通信方法に関する。
【背景技術】
【０００２】
現在、第３世代の周波数帯に第４世代向けに検討されていた技術の一部を導入することによって、通信速度の高速化を目的としたＥＵＴＲＡ（Evolved Universal Terrestrial Radio Access）が標準化団体３ＧＰＰ（3rd Generation Partnership Project）にて検討されている（非特許文献１）。【０００３】
ＥＵＴＲＡでは、通信方式として、マルチパス干渉に強く、高速伝送に適したＯＦＤＭＡ（Orthogonal Frequency Division Multiplexing Access）方式を採用することが決まっている。また、ＥＵＴＲＡに関するデータ転送制御やリソース管理制御といった上位レイヤの動作に関する詳細仕様は、低遅延、低オーバーヘッド化を実現し、更に可能な限り簡易な技術の採用が進められている。【０００４】
セルラ移動通信方式では、移動局装置が基地局装置の通信エリアであるセルまたはセクタ内において、事前に基地局装置と無線同期している必要があることから、基地局装置では規定の構成から成る同期チャネル（Synchronization Channel、以下、「ＳＣＨ」と称する。）を送信し、移動局装置にてＳＣＨを検出することで基地局装置と同期を取る。なお、第３世代の通信方式の一つであるＷ−ＣＤＭＡ（Wideband-Code Division Multiple Access）方式では、ＳＣＨとしてＰ−ＳＣＨ（Primary SCH、プライマリ同期チャネル）とＳ−ＳＣＨ（Secondary SCH、セカンダリ同期チャネル）が同じタイミングで送信される。【０００５】
図２１に示すように、移動局装置は、Ｐ−ＳＣＨのレプリカ信号と受信信号とで相関を取ることによってスロット同期（ステップ１）を取得し、更にＳ−ＳＣＨのレプリカ信号と受信信号とで相関を取り、得られたＳ−ＳＣＨの送信パターンによってフレーム同期を取得すると共に、基地局装置を識別するためのセルＩＤ（Identification：識別情報）のグループを特定する（ステップ２）。更にセルＩＤグループから基地局装置のセルＩＤを特定するために、共通パイロットチャネル（Common Pilot Channel、以下、「ＣＰＩＣＨ」と称する。）の品質を測定し、最も高いＣＰＩＣＨから、対応するセルＩＤを検出する（ステップ３）（非特許文献１の３５頁〜４５頁“２−２−２．セルサーチ”参照）。【０００６】
このような一連の制御、すなわち、移動局装置が基地局装置と無線同期を取り、更にその基地局装置のセルＩＤを特定するまでの３段階のステップ制御をセルサーチ手順と呼ぶ。【０００７】
セルサーチは、初期セルサーチと周辺セルサーチとに分類される。初期セルサーチとは、移動局装置が電源オン後に最も品質の良いセルを検索し、そのセルに在圏するために行なうセルサーチである。また、周辺セルサーチとは、初期セルサーチ後に、移動局装置がハンドオーバー先の候補セルを検索するために行なうセルサーチのことである。【０００８】
ＥＵＴＲＡは、ＯＦＤＭＡ方式を用いたマルチキャリア通信であるため、同期チャネル（ＳＣＨ）を使用するものの、前述したＷ−ＣＤＭＡ方式のセルサーチとは異なるチャネルマッピングと、セルサーチ制御が必要なことが知られている。例えば、セルサーチ手順はＷ−ＣＤＭＡと異なり、２ステップで完了することが可能である。【０００９】
図２２は、ＥＵＴＲＡにおける無線フレームの構成の一例を示す図である。図２２では、横軸に時間軸をとっており、縦軸に周波数軸をとっている。無線フレームは、周波数軸を複数のサブキャリアの集合で構成される一定の周波数領域（ＢＲ）と、一定の送信時間間隔（スロット）で構成される領域を一単位として構成されている（非特許文献２）。【００１０】
また、１スロットの整数倍から構成される送信時間間隔をサブフレームと呼ぶ。更に、複数のサブフレームをまとめたものをフレームと呼ぶ。図２２では、１サブフレームが２スロットから構成される場合を示している。この一定の周波数領域（ＢＲ）と１スロット長で区切られた領域を、リソースブロックと呼ぶ。図２２中のＢＷは、システム帯域幅を示しており、ＢＲはリソースブロックの帯域幅を示している。【００１１】
図２３は、ＥＵＴＲＡにおけるＳＣＨ（Ｐ−ＳＣＨ、Ｓ−ＳＣＨ）のフレーム内の位置を示した図である。Ｐ−ＳＣＨは、システム帯域幅の中心６リソースブロック（７２サブキャリア使用）において、サブフレーム番号＃０および＃５の先頭スロットの最終シンボルに配置される。Ｓ−ＳＣＨは、Ｐ−ＳＣＨの直前のシンボルに配置される。なお、非特許文献２においては、ＳＣＨのことをＳｙｎｃｈｏｎｉｚａｔｉｏｎ  Ｓｉｇｎａｌと記載してあるが、意味は同じである。【００１２】
また、Ｐ−ＳＣＨとして３つの系列が用意され、異なるＰ−ＳＣＨ系列がセルＩＤの一部（例えば３通り）の情報を示す。また、Ｓ−ＳＣＨも同様にセルＩＤの一部（例えば１７０通り）を示すため、異なる複数の信号の識別が必要であり、更にフレームタイミング情報（例えば２通り）といった基地局装置固有の情報を示す可能性がある。そのため、Ｓ−ＳＣＨから得られる組み合わせ数（例えば２×１７０＝３４０通り）を多く取る必要がある。【００１３】
図２４は、Ｓ−ＳＣＨの信号系列とチャネル構造の一例を示したものである（非特許文献３）。第一のＳ−ＳＣＨ信号（Ｓ−ＳＣＨ１）と、第二のＳ−ＳＣＨ信号（Ｓ−ＳＣＨ２）が用意され、それぞれ符号長３１のＭ系列を巡回シフトすることにより生成される３１個の系列の中から一つを選択する。そして、中心のＤＣ（Direct Current）サブキャリアを除くサブキャリアにＳ−ＳＣＨ１とＳ−ＳＣＨ２が交互に配置される。ＤＣサブキャリアには信号は配置されない。図２４に示す方法は、３１×３１＝９６１通りの組み合わせが可能であり、上述した基地局装置の情報を含むのに十分な組み合わせ数が得られる。【００１４】
また、非特許文献４には、Ｓ−ＳＣＨ１とＳ−ＳＣＨ２に対してスクランブル符号を乗算し、隣接するセルからのＳ−ＳＣＨ信号への干渉をランダム化する技術が提案されている。非特許文献４の方法は、Ｓ−ＳＣＨ１およびＳ−ＳＣＨ２にＰ−ＳＣＨに一対一に対応するスクランブル符号を乗算し、更に、Ｓ−ＳＣＨ２にはＳ−ＳＣＨ１が使用する系列番号に対応した個別のスクランブル符号を乗算する方法を提案している。つまり、スクランブル符号としては、Ｐ−ＳＣＨ対応スクランブル符号、個別スクランブル符号の２種類が存在する。
【非特許文献１】立川  敬二，“Ｗ−ＣＤＭＡ移動通信方式”，ＩＳＢＮ４−６２１−０４８９４−５，平成１３年６月２５日初版発行、丸善株式会社
【非特許文献２】３ＧＰＰ  ＴＳ（Ｔｅｃｈｎｉｃａｌ  Ｓｐｅｃｉｆｉｃａｔｉｏｎ）３６．２１１、Ｐｈｙｓｉｃａｌ  Ｃｈａｎｎｅｌｓ  ａｎｄ  Ｍｏｄｕｌａｔｉｏｎ．Ｖ１．１．１  ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ
【非特許文献３】Ｑｕａｌｃｏｍｍ  Ｅｕｒｏｐｅ，  “Ｄｅｔａｉｌｓ  ｏｎ  ＳＳＣ  ｓｅｑｕｅｎｃｅ  ｄｅｓｉｇｎ”，  Ｒ１−０７２７２７，  ３ＧＰＰ  ＴＳＧ  ＲＡＮ  ＷＧ１＃４９ｂｉｓ，  Ｏｒｌａｎｄｏ，  ＵＳＡ，  Ｊｕｎｅ  ２５−２９，  ２００７
【非特許文献４】ＭＣＣ  Ｓｕｐｐｏｒｔ，  “Ｄｒａｆｔ  Ｒｅｐｏｒｔ  ｏｆ  ３ＧＰＰ  ＴＳＧ  ＲＡＮ  ＷＧ１  ＃４９ｂ  ｖ０．１．０”，  ３ＧＰＰ  ＴＳＧ  ＲＡＮ  ＷＧ１＃４９ｂｉｓ，  Ｏｒｌａｎｄｏ，  ＵＳＡ，  Ｊｕｎｅ  ２５−２９，  ２００７
【発明の開示】
【発明が解決しようとする課題】
【００１５】
しかしながら、従来の２種類のスクランブル符号を乗算する方法では、スクランブルされたＳ−ＳＣＨを特定するために、多くの逆スクランブル符号が必要であり、移動局装置の回路規模が増大し、計算量が増加するという問題があった。【００１６】
本発明は、このような事情に鑑みてなされたものであり、異なるサブフレーム番号のＳ−ＳＣＨに乗算するスクランブル符号を変えることにより、隣接セルからの干渉をランダムにするという効果を保ちつつ、移動局装置が保持する必要のある符号数を削減すると共に、移動局装置の回路規模と計算量の削減を図ることができる基地局装置、移動局装置、通信システムおよび通信方法を提供することを目的とする。
【課題を解決するための手段】
【００１７】
（１）上記の目的を達成するために、本発明は、以下のような手段を講じた。すなわち、本発明の基地局装置は、マルチキャリア通信システムに適用される基地局装置であって、基地局装置情報に基づいてプライマリ同期チャネルを生成するプライマリ同期チャネル生成部と、基地局装置情報に基づいて第１の信号および第２の信号の組み合わせによって構成されるセカンダリ同期チャネルを生成するセカンダリ同期チャネル生成部と、前記セカンダリ同期チャネルに乗算する第１のスクランブル符号を前記プライマリ同期チャネルに基づいて生成する第１のスクランブル符号生成部と、前記第２の信号に乗算する第２のスクランブル符号を前記第１の信号に基づいて生成する第２のスクランブル符号生成部と、を備え、フレームタイミング情報を、前記第１または第２のスクランブル符号生成部のいずれか一方に入力し、前記入力したフレームタイミング情報に基づいて生成した前記第１または第２のスクランブル符号を、異なるサブフレームを識別する識別情報として使用することを特徴としている。【００１８】
（２）また、本発明の基地局装置において、前記第１のスクランブル符号生成部は、前記プライマリ同期チャネルに基づいて、前記第１の信号に乗算する系列を生成し、更に前記第１の信号に乗算する系列に対して所定の巡回シフトを行なうことによって、前記第２の信号に乗算する系列を生成し、前記２つの系列を組み合わせることによって前記第１のスクランブル符号を生成し、前記第２のスクランブル符号生成部は、前記第１の信号およびフレームタイミング情報に基づいて、２つの異なる第２のスクランブル符号を生成し、前記生成した各第２のスクランブル符号を、異なるサブフレームを識別する識別情報として使用することを特徴としている。【００１９】
（３）また、本発明の基地局装置は、周波数軸方向で、前記第１の信号および第２の信号をサブフレーム毎に交互に配置するマッピングを行なうマッピング部を更に備え、前記第１のスクランブル符号生成部は、前記プライマリ同期チャネルに基づいて、前記第１の信号に乗算する系列を生成し、更に前記第１の信号に乗算する系列に対して所定の巡回シフトを行なうことによって、前記第２の信号に乗算する系列を生成し、前記２つの系列を組み合わせることによって前記第１のスクランブル符号を生成し、前記第２のスクランブル符号生成部は、前記第１の信号およびフレームタイミング情報に基づいて、２つの異なる第２のスクランブル符号を生成し、前記生成した各第２のスクランブル符号を、異なるサブフレームを識別する識別情報として使用することを特徴としている。【００２０】
（４）また、本発明の移動局装置は、請求項２または請求項３記載の基地局装置から送信されたプライマリ同期チャネルおよびセカンダリ同期チャネルを受信し、少なくともフレームタイミング情報および基地局装置情報を取得する移動局装置であって、受信した前記プライマリ同期チャネルに基づいて第１のスクランブル符号を選択する選択部と、受信した前記セカンダリ同期チャネルと前記選択した第１のスクランブル符号とに基づいて、相関値を算出することにより第１の信号を検出する一方、前記セカンダリ同期チャネルと、前記検出した第１の信号に基づく第２のスクランブル符号とに基づいて、相関値を算出することにより第２の信号を検出し、前記検出した第１および第２の信号に基づいて、少なくともフレームタイミング情報および基地局装置情報を取得する検出部と、を備えることを特徴としている。【００２１】
（５）また、本発明の通信システムは、請求項２または請求項３記載の基地局装置と、請求項４記載の移動局装置と、から構成されることを特徴としている。【００２２】
（６）また、本発明の通信方法は、マルチキャリア通信システムに適用される通信方法であって、プライマリ同期チャネル生成部において、基地局装置情報に基づいてプライマリ同期チャネルを生成するステップと、セカンダリ同期チャネル生成部において、基地局装置情報に基づいて第１の信号および第２の信号の組み合わせによって構成されるセカンダリ同期チャネルを生成するステップと、第１のスクランブル符号生成部において、前記セカンダリ同期チャネルに乗算する第１のスクランブル符号を前記プライマリ同期チャネルに基づいて生成するステップと、第２のスクランブル符号生成部において、前記第２の信号に乗算する第２のスクランブル符号を前記第１の信号に基づいて生成するステップと、フレームタイミング情報を、前記第１または第２のスクランブル符号生成部のいずれか一方に入力するステップと、を少なくとも含み、前記入力したフレームタイミング情報に基づいて生成した前記第１または第２のスクランブル符号を、異なるサブフレームを識別する識別情報として使用することを特徴としている。
【発明の効果】
【００２３】
本発明によれば、Ｓ−ＳＣＨ系列の候補数を減らすことが可能な効率的な同期チャネルの構成を提供することが可能となる。また、Ｓ−ＳＣＨに乗算されるスクランブル符号を用いてフレームタイミングを通知するため、Ｓ−ＳＣＨを構成する各系列の候補数が減り、移動局装置の回路の簡略化、および相関処理に掛かる時間が減少し消費電力の抑制が可能となる。また、候補となる系列が減ることで系列の選択誤り確率が下がり、セルサーチ性能を向上させることが可能となる。
【図面の簡単な説明】
【００２４】
【図１】第１の実施形態における移動局装置の一例を示すブロック図である。
【図２】第１の実施形態における基地局装置の一例を示すブロック図である。
【図３】第１および第２の実施形態におけるＳ−ＳＣＨの構造の一例を示す図である。
【図４Ａ】第１の実施形態におけるＰ−ＳＣＨ対応スクランブル符号とサブフレーム番号の対応関係の一例を示す図である。
【図４Ｂ】第１の実施形態におけるＰ−ＳＣＨ対応スクランブル符号とサブフレーム番号の対応関係の一例を示す図である。
【図４Ｃ】第１の実施形態におけるＰ−ＳＣＨ対応スクランブル符号とサブフレーム番号の対応関係の一例を示す図である。
【図５】第１の実施形態におけるＳＣＨ信号生成部の詳細を示すブロック図である。
【図６】第１の実施形態におけるセルサーチ部の詳細を示すブロック図である。
【図７】第１の実施形態におけるＳ−ＳＣＨの受信処理の一例を示すフローチャートである。
【図８Ａ】第２の実施形態における個別スクランブル符号とサブフレーム番号の対応関係の一例を示す図である。
【図８Ｂ】第２の実施形態における個別スクランブル符号とサブフレーム番号の対応関係の一例を示す図である。
【図８Ｃ】第２の実施形態における個別スクランブル符号とサブフレーム番号の対応関係の一例を示す図である。
【図９】第２の実施形態におけるＳＣＨ信号生成部の詳細を示すブロック図である。
【図１０】第２の実施形態におけるセルサーチ部の詳細を示すブロック図である。
【図１１】第２の実施形態におけるＳ−ＳＣＨの受信処理の一例を示すフローチャートである。
【図１２】本発明の第３および第４の実施形態におけるＳ−ＳＣＨの構造の一例を示す図である。
【図１３Ａ】第３の実施形態におけるＰ−ＳＣＨ対応スクランブル符号とサブフレーム番号の対応関係の一例を示す図である。
【図１３Ｂ】第３の実施形態におけるＰ−ＳＣＨ対応スクランブル符号とサブフレーム番号の対応関係の一例を示す図である。
【図１３Ｃ】第３の実施形態におけるＰ−ＳＣＨ対応スクランブル符号とサブフレーム番号の対応関係の一例を示す図である。
【図１３Ｄ】第３の実施形態におけるＰ−ＳＣＨ対応スクランブル符号とサブフレーム番号の対応関係の一例を示す図である。
【図１４】第３の実施形態におけるＳＣＨ信号生成部の詳細を示すブロック図である。
【図１５】第４の実施形態におけるＳＣＨ信号生成部の詳細を示すブロック図である。
【図１６】Ｍ系列発生回路の一例を示した図である。
【図１７】第５の実施形態における移動局装置の相関検波器を示すブロック図である。
【図１８】第５の実施形態における移動局装置の相関検波器の別の例を示すブロック図である。
【図１９】Ｍ系列発生回路の別の一例を示した図である。
【図２０】第６の実施形態における移動局装置の相関検波器を示すブロック図である。
【図２１】従来の３段階のセルサーチ手順について示したフローチャートである。
【図２２】ＥＵＴＲＡにおける周波数領域と時間領域で区切られた無線リソースを示す図である。
【図２３】ＥＵＴＲＡにおけるＳＣＨのフレーム内の位置を示す図である。
【図２４】ＥＵＴＲＡにおけるＳ−ＳＣＨの構造の一例を示す図である。
【符号の説明】
【００２５】
１０、２２  受信部
１１、２４  制御部
１２、２３  復調部
１３、２６  制御信号処理部
１４、２５  データ処理部
１５  下り同期調整部
１６  セルサーチ部
１７  セル情報処理部
１８、２７  符号部
１９、２８  変調部
２０、３０  送信部
２１、３１  上位レイヤ
２９  ＳＣＨ信号生成部
５０、９０、１４０、１５０  Ｐ−ＳＣＨ生成部
５１、９１、１４１、１５１  Ｓ−ＳＣＨ生成部
５２、９２、１４２、１５２  Ｐ−ＳＣＨ対応スクランブル符号生成部
５３、９３、１４３、１５３  個別スクランブル符号生成部
５４、９４、１４４、１５４  Ｓ−ＳＣＨマッピング部
６０  チャネル切替部
６１  Ｐ−ＳＣＨ相関部
６２  Ｐ−ＳＣＨレプリカ信号選択部
６３  Ｐ−ＳＣＨ判定部
６４  Ｐ−ＳＣＨ信号保持部
６５  Ｐ−ＳＣＨ対応スクランブル符号選択部
６６、１００  Ｓ−ＳＣＨ相関部
６７、１０１  Ｓ−ＳＣＨレプリカ信号選択部
６８、１０２  Ｓ−ＳＣＨ判定部
６９、１０３  Ｓ−ＳＣＨ信号保持部
７０、１０４  個別スクランブル符号選択部
２１０１、２２０１、２４０１  Ｓ／Ｐ変換部
２１０２  加算器
２１０３、２２０６、２４０６  乗算部
２２０２、２４０２  第１の加算器
２２０３、２４０３  第２の加算器
２２０４、２４０４  第３の加算器
２２０５、２４０５  減算器
【発明を実施するための最良の形態】
【００２６】
次に、本発明の実施形態について、図面を参照しながら説明する。まず、本発明の基本的な技術について説明する。実施形態に共通に用いられる物理チャネルとしては、以下のものがある。物理チャネルは、データチャネルと制御チャネルとに分けられる。制御チャネルには、同期チャネル（ＳＣＨ）以外にも、報知情報チャネル、ランダムアクセスチャネル、下りリファレンスシグナル、上りリファレンスシグナル、下り共用制御チャネル、上り共用制御チャネルがある。これらの物理チャネルの詳細な説明は本発明に影響しないため省略する。【００２７】
次に、Ｓ−ＳＣＨに乗算されるスクランブル符号について以下に示す。スクランブル符号の種類としては、Ｐ−ＳＣＨ対応スクランブル符号、個別スクランブル符号の２種類を用意する。【００２８】
Ｐ−ＳＣＨ対応スクランブル符号とは、Ｐ−ＳＣＨを同定することによって一意、またはグループ内の複数個の候補として決定されるスクランブル符号のことであり、Ｓ−ＳＣＨ１とＳ−ＳＣＨ２に各々乗算する。あるいは、図２４に示したようにサブキャリアごとに交互に周波数多重されたＳ−ＳＣＨ１とＳ−ＳＣＨ２に対して乗算しても良い。先に述べたように、Ｐ−ＳＣＨは３つの系列が存在するため、Ｐ−ＳＣＨ対応スクランブル符号は３つ（あるいは３グループ）存在することになる。乗算されるスクランブル符号の符号長は、乗算する対象となる符号長の長さに等しい、または乗算する対象となる符号長に等しくなるように長さを調整したものが選ばれる。【００２９】
個別スクランブル符号とは、Ｓ−ＳＣＨ１で使用される系列番号を基に一意、あるいはグループ内の複数個の候補として決まるスクランブル符号のことである。Ｓ−ＳＣＨ１としてｎ個の候補があれば、個別スクランブル符号はｎ個（またはｎグループ）存在することになる。乗算される符号長は、Ｓ−ＳＣＨ２の符号長に等しい、Ｓ−ＳＣＨ２の符号長に等しくなるように長さを調整したものが選ばれる。【００３０】
以上に述べた２種類のスクランブル符号として使用される可能性のある系列としては、アダマール系列、Ｗａｌｓｈ系列、Ｇｏｌａｙ系列、ＰＮ系列、Ｍ系列、ランダム系列などがあるが、いずれの系列を用いても本発明の趣旨は変わらない。また、バイナリ系列以外（例えば、Ｚａｄｏｆｆ−Ｃｈｕ系列など）を使用しても本発明の趣旨には影響ない。【００３１】
（第１の実施形態）
本発明の第１の実施形態について以下に説明する。図１は、本発明の第１の実施形態に係る移動局装置の構成の一例を示すブロック図である。移動局装置は、受信部１０、制御部１１、復調部１２、制御信号処理部１３、データ処理部１４、下り同期調整部１５、セルサーチ部１６、セル情報処理部１７、符号部１８、変調部１９、送信部２０、上位レイヤ２１から構成される。【００３２】
受信信号（基地局装置からの送信信号）は、受信部１０において受信される。制御部１１から指示に基づき、セルサーチ手順中であれば、受信信号はセルサーチ部１６へと送信される。セルサーチ部１６は、セルサーチ手順がステップ１であれば、３つのＰ−ＳＣＨ系列から１系列を検出し、スロットタイミングを取得する工程が行なわれる。また、セルサーチ手順がステップ２であれば、Ｓ−ＳＣＨを検出し、セルＩＤグループ、フレームタイミング、送信アンテナ数情報などを取得する工程が行なわれる。【００３３】
Ｐ−ＳＣＨおよびＳ−ＳＣＨによって取得したタイミング情報（スロットタイミング、フレームタイミング）は、下り同期調整部１５に送信され、受信部１０の信号受信タイミングを調整するために使用される。また、Ｓ−ＳＣＨから取得したセル情報は、セル情報処理部１７へと送信され、上位レイヤへと転送される。セルサーチ手順中以外であれば、受信信号は、復調部１２へと送られ、制御部１１より入力されるチャネル情報や受信制御情報を基に復調され、データチャネル、制御チャネルに分類される。【００３４】
分類された各チャネルは、データチャネルであればデータ処理部１４へ、制御チャネルであれば制御信号処理部１３へと送信される。なお、前記以外のチャネルの場合、それぞれ他のチャネル制御部へと送信されるが、本発明には影響しないため省略してある。データ処理部１４は、ユーザデータを取り出して上位レイヤ２１へと送信する。制御信号処理部１３は、制御データを取り出して上位レイヤ２１へと送信する。【００３５】
一方、上位レイヤ２１からは、ユーザデータと制御データが符号部１８に入力され、送信データとして符号化される。制御データは、上りリファレンスシグナルと上り共用制御チャネルのデータを含む。また、上位レイヤ２１から制御部１１へチャネル情報や送信制御情報が入力される。送信制御情報は、上りチャネルおよび下りチャネルに関する送受信のタイミングや多重方法、変調または復調情報が含まれている。符号部１８にて符号化された各送信データは、変調部１９に入力される。変調部１９は、制御部１１から指示される情報に従って、送信データについて適切な変調方式で変調処理を行なう。変調部１９で変調されたデータは、送信部２０に入力され、適切に電力制御されて送信される。なお、その他の移動局装置の構成要素は本発明に関係ないため省略してある。また、各ブロックの動作は、上位レイヤ２１によって統括的に制御される。【００３６】
図２は、本発明の第１の実施形態に係る基地局装置の構成の一例を示すブロック図である。基地局装置は、受信部２２、復調部２３、制御部２４、データ処理部２５、制御信号処理部２６、符号部２７、変調部２８、ＳＣＨ信号生成部２９、送信部３０、上位レイヤ３１から構成される。受信信号（移動局装置、および基地局装置からの送信信号）は、受信部２２において受信される。受信信号は復調部２３へと送られ、制御部２４から指示される制御情報を基に、データチャネル、制御チャネルに分けられ、それぞれ復調される。なお、前記以外のチャネルの場合、それぞれ他のチャネル制御部へと送信されるが、本発明には影響しないため省略してある。【００３７】
復調された各データは、データチャネルであればデータ処理部２５へ、制御チャネルであれば制御信号処理部２６へと送信される。データ処理部２５では、ユーザデータの復調処理を行ない上位レイヤ３１へ送信する。制御信号処理部２６では、制御データを取り出して上位レイヤ３１へと送信する。また、スケジュールリングの制御に関連する制御情報は各ブロックへ送信される。【００３８】
一方、上位レイヤからの送信要求を契機として、ユーザデータと制御データが符号部２７に入力される。制御データは、報知情報チャネル、下りリファレンスシグナル、下り共用制御チャネルを含む。また、上位レイヤ３１より制御部２４へ制御情報が入力される。符号部２７にて符号化されたユーザデータと制御データは、変調部２８に入力される。変調部２８は、制御部２４からの制御情報に従って、各送信データについて、適切な変調方式で変調処理を行なう。変調部２８で変調されたデータは、送信部３０に入力され、適切に電力制御されて送信される。【００３９】
また、ＳＣＨ信号生成部２９には、基地局装置に割り振られたセルＩＤ、送信アンテナ数、ＳＣＨが送信されるフレームタイミングなどが基地局装置情報として上位レイヤ３１から入力される。ＳＣＨ信号生成部２９は、基地局装置情報に対応するＰ−ＳＣＨとＳ−ＳＣＨの組み合わせを選択し、Ｐ−ＳＣＨとＳ−ＳＣＨの信号をそれぞれ生成する。生成されたＰ−ＳＣＨ、Ｓ−ＳＣＨは送信部３０へ入力されて送信される。なお、その他の基地局装置の構成要素は本発明に関係ないため省略してある。また、各ブロックの動作は、上位レイヤ３１によって統括的に制御される。【００４０】
図３は、第１の実施形態における、Ｓ−ＳＣＨの構造の一例を示した図である。Ｓ−ＳＣＨは、Ｓ−ＳＣＨ１とＳ−ＳＣＨ２に分割される。また、Ｓ−ＳＣＨ１およびＳ−ＳＣＨ２は、サブフレーム番号＃０に配置されるＳ−ＳＣＨ１をＳ−ＳＣＨ１＿１、同じくＳ−ＳＣＨ２をＳ−ＳＣＨ２＿１、サブフレーム番号＃５に配置されるＳ−ＳＣＨ１をＳ−ＳＣＨ１＿２、同じくＳ−ＳＣＨ２をＳ−ＳＣＨ２＿２とする。図３において、Ｓ−ＳＣＨ１とＳ−ＳＣＨ２は符号長３１の系列であり、中心のＤＣサブキャリアを除いた残りのサブキャリアに交互に配置される。ＤＣサブキャリアには信号は配置されない。また、左端のサブキャリア番号をサブキャリア＃０、右端のサブキャリア番号をサブキャリア＃６２とする。【００４１】
なお、以降の説明および図ではＳ−ＳＣＨ１を基とする個別スクランブル系列を乗算する方をＳ−ＳＣＨ２とし、また、Ｓ−ＳＣＨ１をサブキャリア＃０より１サブキャリアおきに配置しているが、勿論Ｓ−ＳＣＨ１をサブキャリア＃１より配置しても本発明は成立する。すなわち、この場合Ｓ−ＳＣＨ２がサブキャリア＃０から配置されることになる。【００４２】
本実施形態では、Ｐ−ＳＣＨ対応スクランブル符号として６つの系列（Ｐ１〜Ｐ３、Ｐ１’〜Ｐ３’）を用意する。そして、２系列を１セットとしてＰ−ＳＣＨ系列に一意に対応付ける。このとき、異なるＰ−ＳＣＨ系列に対応する２つのＰ−ＳＣＨ対応スクランブル符号と使用するサブフレーム番号の組み合わせが各々異なるように選択する。このとき、Ｐ１〜Ｐ３、Ｐ１’〜Ｐ３’は全て異なる６つの系列であっても良いし、Ｐ１〜Ｐ３を巡回シフト（例えばシフト量＝符号長／２）することでＰ１’〜Ｐ３’を生成しても良いし、Ｐ１を巡回シフト（例えばシフト量＝符号長／３）してＰ２〜Ｐ３と生成し、Ｐ１’を巡回シフト（例えばシフト量＝符号長／３）してＰ２’〜Ｐ３’を生成しても良い。あるいは、Ｐ１を巡回シフト（例えばシフト量＝符号長／６）してＰ２〜Ｐ３、Ｐ１’〜Ｐ３’を生成しても良い。また、Ｐ１〜Ｐ３に別の系列を乗算してＰ１’〜Ｐ３’を生成しても良い（例えば、同一グループのＰＮ系列同士を乗算することによって、同一グループ内の別のＰＮ系列、あるいは同一グループ内の別のＰＮ系列の符号を反転した系列が生成される場合があることを利用し、Ｐ１〜Ｐ３をＰＮ系列として、前記Ｐ１〜Ｐ３に同一グループの別のＰＮ系列Ｐ４を乗算して、Ｐ１’〜Ｐ３’を生成しても良い。）。また、Ｐ１〜Ｐ３の系列の一部（例えばサブキャリア＃３２〜＃６２に配置される系列）または全部に−１を乗算してＰ１’〜Ｐ３’を生成しても良い。【００４３】
図４Ａは、異なるサブフレーム番号のＳ−ＳＣＨ（Ｓ−ＳＣＨ１とＳ−ＳＣＨ２を周波数多重したもの）に、それぞれ異なるＰ−ＳＣＨ対応スクランブル符号を乗算する場合の例である。例えば、同定したＰ−ＳＣＨ系列（図のＰ−ＳＣＨ＃ｎ）が１であったとき、移動局装置はＳ−ＳＣＨに乗算されているＰ−ＳＣＨ対応スクランブル符号として、Ｐ１またはＰ１’が使用されていることがわかる。よって、Ｐ１を乗算することで逆スクランブル（デスクランブル）し、Ｓ−ＳＣＨ１が検出されればサブフレーム番号＃０であることがわかる。一方、Ｐ１’を乗算することで逆スクランブル（デスクランブル）し、Ｓ−ＳＣＨ１が検出されればサブフレーム番号＃５であることがわかる。【００４４】
図４Ｂは、Ｓ−ＳＣＨ１＿１（サブフレーム番号＃０のＳ−ＳＣＨ１）とＳ−ＳＣＨ２＿１（サブフレーム番号＃０のＳ−ＳＣＨ２）に乗算するＰ−ＳＣＨ対応スクランブル符号と、Ｓ−ＳＣＨ１＿２（サブフレーム番号＃５のＳ−ＳＣＨ１）とＳ−ＳＣＨ２＿２（サブフレーム番号＃５のＳ−ＳＣＨ２）に乗算するＰ−ＳＣＨ対応スクランブル符号とが異なる場合の例である。図４Ｃとの違いは、Ｓ−ＳＣＨ１とＳ−ＳＣＨ２を周波数多重した後にスクランブル符号を乗算するのではなく、それぞれにスクランブル符号が乗算される点である。【００４５】
また、図４Ｃに示すように、Ｐ−ＳＣＨ系列毎に異なるサブフレーム間で別のＰ−ＳＣＨ対応スクランブル符号を乗算しても良い。なお、各Ｐ−ＳＣＨ対応スクランブル符号は、１つの長い系列で構成されていても、短い系列の複数繰り返しで形成されていても良い。【００４６】
このように、本実施形態のＳ−ＳＣＨはサブフレーム毎に異なるスクランブル符号がかかることになるため、移動局装置がＳ−ＳＣＨに乗算されているＰ−ＳＣＨ対応スクランブル符号を特定することによって、同時にフレームタイミングが特定されることになる。【００４７】
以下、本実施形態の利点について述べる。例えば、セルＩＤとして２５６の候補があり、Ｓ−ＳＣＨ１の候補となる系列が１６個、Ｓ−ＳＣＨ２の候補となる系列が１６個割り当てられたとする。このとき、従来の方法では、フレームタイミングを示す情報をいずれかのＳ−ＳＣＨに載せる必要があるため、更に１６個の系列が必要である。すなわち、Ｓ−ＳＣＨとしては、３２個が必要である。【００４８】
一方、本実施形態の方法では、フレームタイミングはＰ−ＳＣＨ対応スクランブル符号で示されるため、フレームタイミングを示すために追加のＳ−ＳＣＨ系列は必要なく、１６個で十分である。これは、移動局装置でＳ−ＳＣＨの検出のために必要となる相関器の回路規模を縮小できることを意味する。【００４９】
図５は、第１の実施形態における基地局装置のＳＣＨ信号生成部２９の詳細について示したブロック図である。セルＩＤ情報が、Ｐ−ＳＣＨ生成部５０とＳ−ＳＣＨ生成部５１に入力され、当該セルＩＤ情報よりＰ−ＳＣＨの系列が選択される。また、同様にセルＩＤ情報を基にＳ−ＳＣＨ生成部５１よりＳ−ＳＣＨ１およびＳ−ＳＣＨ２が生成される。本実施形態では、Ｓ−ＳＣＨ生成部５１にセルＩＤ情報のみが入力される例であるが、フレームタイミング情報以外の基地局装置情報（例えば送信アンテナ数情報）が入力されても良い。その他の基地局装置情報が入力される場合、Ｓ−ＳＣＨ１系列はセルＩＤ情報のみを含むように系列番号の割り振りを行なうことで、Ｓ−ＳＣＨ２に乗算される個別スクランブル符号数を多く取ることが可能である。続いて、Ｐ−ＳＣＨ対応スクランブル符号生成部５２に、Ｐ−ＳＣＨ生成部５０から選択されたＰ−ＳＣＨの系列情報（Ｐ−ＳＣＨ信号情報と称す。）とフレームタイミング情報が入力され、Ｐ−ＳＣＨ信号情報に応じたサブフレーム番号＃０とサブフレーム番号＃５を示す２つのＰ−ＳＣＨ対応スクランブル符号が生成される。【００５０】
前記２つのＰ−ＳＣＨ対応スクランブル符号のうち、送信されるサブフレーム番号に応じた適切な一方がＳ−ＳＣＨ１系列およびＳ−ＳＣＨ２系列に乗算される。このときの乗算方法は図４Ａ〜図４Ｃのいずれの方法でも良い。また、Ｓ−ＳＣＨ１の系列番号を示す情報（Ｓ−ＳＣＨ１情報と称す。）が個別スクランブル符号生成部５３に入力され、当該Ｓ−ＳＣＨ１情報に対応した個別スクランブル符号が生成される。そして、前記個別スクランブル符号はＳ−ＳＣＨ２に乗算される。最後に、上述した符号によるスクランブルが実施されたＳ−ＳＣＨ１とＳ−ＳＣＨ２がＳ−ＳＣＨマッピング部５４に入力され、図３に示したサブキャリア位置に周波数多重されて配置される。なお、各スクランブル符号の乗算の順番は必ずしも本説明に従わなくても問題はない。例えば、Ｐ−ＳＣＨ対応スクランブル符号がＳ−ＳＣＨマッピング部の出力信号に対して乗算されても、本発明の趣旨には影響しない。【００５１】
図６は、第１の実施形態における移動局装置のセルサーチ部１６の詳細について示したブロック図である。受信部１０から入力された受信信号は、まずチャネル切替部６０に入力される。チャネル切替部６０は、セルサーチ制御のステップに従い、Ｐ−ＳＣＨ検出処理なのかＳ−ＳＣＨ検出処理なのかを判断し、受信信号の出力先を適切に変更する。Ｐ−ＳＣＨ検出処理である場合、受信信号はＰ−ＳＣＨ相関部６１に入力される。また、Ｐ−ＳＣＨ相関部６１には、Ｐ−ＳＣＨレプリカ信号選択部６２よりＰ−ＳＣＨレプリカ信号が入力され、受信信号との相関検波処理が行なわれる。【００５２】
Ｐ−ＳＣＨ相関部６１で相関検波により生成されたＰ−ＳＣＨ相関信号は、Ｐ−ＳＣＨ判定部６３へと送信され、また、同時にＰ−ＳＣＨ相関信号はＰ−ＳＣＨ信号保持部６４へと送信され、Ｐ−ＳＣＨ相関信号が記憶される。記録された相関信号は、必要に応じて新規に入力されたＰ−ＳＣＨ相関信号と合成される。Ｐ−ＳＣＨ判定部６３は、Ｐ−ＳＣＨ相関部６１より出力されたＰ−ＳＣＨ相関信号の相関値が、ある一定以上であればＰ−ＳＣＨを正しく検出したと判断し、得られたＰ−ＳＣＨ検出情報（スロットタイミング、Ｐ−ＳＣＨ系列情報）をセル情報処理部１７へと出力する。また、同時にＰ−ＳＣＨ系列情報はＰ−ＳＣＨ対応スクランブル符号選択部６５へ入力され、Ｐ−ＳＣＨの系列に対応するＰ−ＳＣＨ対応スクランブル符号が選択される。【００５３】
セルサーチ制御が、Ｓ−ＳＣＨ検出処理であったとき、受信信号に対してＰ−ＳＣＨ対応スクランブル符号のいずれか一方が乗算される。また、受信信号はＳ−ＳＣＨ１とＳ−ＳＣＨ２とに分けられ、Ｓ−ＳＣＨ１信号がＳ−ＳＣＨ相関部６６に入力される。Ｓ−ＳＣＨ相関部６６には、Ｓ−ＳＣＨレプリカ信号選択部６７よりＳ−ＳＣＨレプリカ信号が入力され、受信信号との相関検波処理が行なわれる。Ｓ−ＳＣＨ相関部６６で相関検波により生成されたＳ−ＳＣＨ１のＳ−ＳＣＨ相関信号は、Ｓ−ＳＣＨ判定部６８へと送信され、また、同時にＳ−ＳＣＨ１のＳ−ＳＣＨ相関信号はＳ−ＳＣＨ信号保持部６９へと送信され、Ｓ−ＳＣＨ１のＳ−ＳＣＨ相関信号が記憶される。【００５４】
Ｓ−ＳＣＨ判定部６８は、Ｓ−ＳＣＨ相関部６６より出力されたＳ−ＳＣＨ１のＳ−ＳＣＨ相関信号の相関値が、ある一定以上であればＳ−ＳＣＨ１の系列を正しく検出したと判断し、得られたＳ−ＳＣＨ１系列情報を個別スクランブル符号選択部７０へと入力する。個別スクランブル符号選択部７０は、Ｓ−ＳＣＨ１系列情報に基づき個別スクランブル符号を選択し、Ｓ−ＳＣＨ２へと乗算する。なお、Ｓ−ＳＣＨ１のＳ−ＳＣＨ相関信号の相関値がある一定未満であれば、Ｐ−ＳＣＨ対応スクランブル符号選択部６５に対し、もう一方のＰ−ＳＣＨ対応スクランブル符号をＳ−ＳＣＨ１に乗算するように制御信号を入力し、再度相関検波処理を実施する。【００５５】
個別スクランブル符号が乗算されたＳ−ＳＣＨ２信号は、Ｓ−ＳＣＨ相関部６６に入力され、以降、Ｓ−ＳＣＨ１と同様の相関検波処理が行なわれる。Ｓ−ＳＣＨ判定部６８は、Ｓ−ＳＣＨ相関部６６より出力されたＳ−ＳＣＨ２のＳ−ＳＣＨ相関信号の相関値がある一定以上であればＳ−ＳＣＨ２の系列を正しく検出したと判断する。また、検出済みのＳ−ＳＣＨ１とＳ−ＳＣＨ２の系列の組み合わせから得られたＳ−ＳＣＨ検出情報（フレームタイミング情報、セルＩＤ情報などの基地局装置情報）をセル情報処理部１７へ出力する。【００５６】
なお、本実施形態ではＳ−ＳＣＨ１とＳ−ＳＣＨ２に対しＰ−ＳＣＨ対応スクランブル符号が乗算されている場合（図４Ａおよび図４Ｃの方法）の例であるが、Ｓ−ＳＣＨ１とＳ−ＳＣＨ２に個別に乗算される場合（図４Ｂの方法）は、Ｐ−ＳＣＨ対応スクランブル符号がＳ−ＳＣＨ１とＳ−ＳＣＨ２に分かれた後に乗算されるようにすれば良い。また、Ｓ−ＳＣＨ１とＳ−ＳＣＨ２の信号系列を先に乗算し、乗算後の信号とＰ−ＳＣＨ対応スクランブル符号との相関を取ることによってＳ−ＳＣＨ検出情報を取得することも可能である。【００５７】
図７は、図６の移動局装置におけるセルサーチ部のＳ−ＳＣＨ系列を同定するまでの処理の一例を示すフローチャートを示したものである。Ｓ−ＳＣＨ系列検出処理の開始後、まず、Ｐ−ＳＣＨ対応スクランブル符号乗算処理（ステップＳ１）にて、すでに同定したＰ−ＳＣＨ系列に応じて選択された２つのＰ−ＳＣＨ対応スクランブル符号のいずれか一方を選択し、選択したＰ−ＳＣＨ対応スクランブル符号と受信信号とを乗算した信号を出力する。続いて、Ｐ−ＳＣＨ対応スクランブル符号が乗算された信号からＳ−ＳＣＨ１の位置の信号を取り出し、既知のＳ−ＳＣＨ１系列とで相関を取り、所定の閾値を越える相関が検出された場合に、Ｓ−ＳＣＨ１が検出されたとする（ステップＳ２）。【００５８】
Ｓ−ＳＣＨ１系列との相関値が全て閾値未満であった場合は、別Ｐ−ＳＣＨ対応スクランブル符号選択処理（ステップＳ３）にて、選択しなかったもう一方のＰ−ＳＣＨ対応スクランブル符号を選択し、再度Ｓ−ＳＣＨ１の検出を試みる。なお、Ｐ−ＳＣＨ対応スクランブル符号のいずれも相関が低かった場合は、次のサブフレーム以降も検出処理を繰り返すが、消費電力削減のため、任意のタイミングで検出失敗と判断してＳ−ＳＣＨ系列検出処理を終わらせても良い。【００５９】
ステップＳ２において、閾値を越えたことで、Ｓ−ＳＣＨ１が検出されたと判断された場合、乗算したＰ−ＳＣＨ対応スクランブル符号を基にフレームタイミングを検出することができる（ステップＳ４）。また、個別スクランブル符号選択処理（ステップＳ５）にて、Ｓ−ＳＣＨ１の系列番号を基にＳ−ＳＣＨ２の個別スクランブル符号を選択する。選択した個別スクランブル符号は続く個別スクランブル符号乗算処理（ステップＳ６）にて、Ｓ−ＳＣＨ２に乗算される。個別スクランブル符号が乗算された信号に対し、既知のＳ−ＳＣＨ２系列とで相関を取り、所定の閾値を越える相関値が検出された場合に、Ｓ−ＳＣＨ２が検出されたとする（ステップＳ７）。Ｓ−ＳＣＨ２系列との相関が全て閾値未満であった場合は、個別スクランブル符号選択処理（ステップＳ５）に戻り、以降のサブフレームの信号を用いて再度Ｓ−ＳＣＨ２の検出を試みるが、消費電力削減のため、任意のタイミングで検出失敗と判断してＳ−ＳＣＨ系列検出処理を終わらせても良い。【００６０】
ステップＳ７において、閾値を越えたことで、Ｓ−ＳＣＨ２が検出されたと判断された場合、先に検出したＳ−ＳＣＨ１の系列番号と、Ｓ−ＳＣＨ２の系列番号の組み合わせからセルＩＤを検出し（ステップＳ８）、Ｓ−ＳＣＨ系列検出処理を終了させる。なお、本フロー以外の順番で処理を行なっても良く、例えば２つのＰ−ＳＣＨ対応スクランブル符号の乗算を平行して処理するフローであっても問題ない。更には、個別スクランブル符号が乗算された状態のＳ−ＳＣＨ２信号に対して相関を検出するようなフローであっても良い。【００６１】
本実施形態により、同一基地局装置内のセルのＳ−ＳＣＨは、それぞれＰ−ＳＣＨ対応スクランブル符号によって異なるスクランブル処理が施されるため、干渉が減少し、セルサーチ性能が向上する。また、Ｐ−ＳＣＨ対応スクランブル符号によってフレームタイミングが示されるため、移動局装置で保持するＳ−ＳＣＨ系列の数が減少し、移動局装置の構成を簡略化することが可能となる。また、セルサーチ性能の向上に伴うセルサーチ時間の低減によって、移動局装置の消費電力を下げることができる。【００６２】
（第２の実施形態）
次に、本発明の第２の実施形態について説明する。第２の実施形態では、個別スクランブル符号でフレームタイミングを示す方法について示す。基地局装置の構成のうち、ＳＣＨ信号生成部の詳細が図９に変わることと、移動局装置の構成のうち、セルサーチ部の詳細が図１０に変わる以外は、図１および図２と同じ構成で良い。また、Ｓ−ＳＣＨの配置は図３と同じで良い。本実施形態では、Ｓ−ＳＣＨ１に基づいた個別スクランブル符号が２つ決まるようにスクランブル符号を対応付け、異なるサブフレーム番号で使用する。【００６３】
図８Ａは、Ｓ−ＳＣＨ１を基に決まる１つのスクランブル符号Ｄｘ（ｘはＳ−ＳＣＨ１の系列番号を示す。）に対し、サブフレーム番号＃０とサブフレーム番号＃５とで異なる別のスクランブル符号を乗算して、個別スクランブル符号を生成する場合の例である。サブフレーム番号＃０にはスクランブル符号ＳＣ＿ｆｒａｍｅ０を、サブフレーム番号＃５にはスクランブル符号ＳＣ＿ｆｒａｍｅ５を乗算することで２つの個別スクランブル符号を生成する。このように、本実施形態のＳ−ＳＣＨは、Ｓ−ＳＣＨ２に対してサブフレーム毎に異なる個別スクランブル符号がかかることになるため、移動局装置が個別スクランブル符号を特定することによって、同時にフレームタイミングが特定されることになる。【００６４】
例えば、同定したＳ−ＳＣＨ１の系列番号が１であったとき、移動局装置はＳ−ＳＣＨ２に乗算されている個別スクランブル符号としては、Ｄ１およびＳＣ＿ｆｒａｍｅ０、またはＤ１およびＳＣ＿ｆｒａｍｅ５が使用されていることがわかる。よって、Ｄ１およびＳＣ＿ｆｒａｍｅ０を乗算することで逆スクランブル（デスクランブル）し、Ｓ−ＳＣＨ２が検出されればサブフレーム番号＃０であることがわかる。一方、Ｄ１およびＳＣ＿ｆｒａｍｅ５を乗算することで逆スクランブル（デスクランブル）し、Ｓ−ＳＣＨ２が検出されればサブフレーム番号＃５であることがわかる。【００６５】
ここで、ＳＣ＿ｆｒａｍｅ０とＳＣ＿ｆｒａｍｅ５は、Ｐ−ＳＣＨ系列によって一意に決まるＰ−ＳＣＨ対応スクランブル符号Ｐ１〜Ｐ３、Ｐ１’〜Ｐ３’と同じ符号でも良い。これを図８Ｂに示す。図の例では、Ｐ−ＳＣＨ対応スクランブル符号の中から２つの系列をＰ−ＳＣＨ系列に一意に対応付け、前記２つの系列を異なるサブフレーム番号を示すためにスクランブル符号Ｄｘに対して乗算する。【００６６】
また、図８Ｃに示すように、Ｓ−ＳＣＨ１に対応する個別スクランブル系列を２系列用意し、異なるサブフレーム番号で使い分けても良い。【００６７】
なお、Ｓ−ＳＣＨ１の系列番号と個別スクランブル符号との対応関係は１対１に限らず、１対多数であっても良い。例えば、Ｓ−ＳＣＨ１の系列番号が１〜５であるときにＤ１が乗算されるという対応関係であっても、Ｓ−ＳＣＨ１の系列番号が１であるときに、Ｄ１〜Ｄ３のいずれかが乗算されるという対応関係であっても良く、サブフレーム番号で異なる個別スクランブル符号が使用されていれば、本発明には影響しない。【００６８】
以下、本実施形態の利点について述べる。例えば、セルＩＤとして２５６の候補があり、Ｓ−ＳＣＨ１の候補となる系列が１６個、Ｓ−ＳＣＨ２の候補となる系列が１６個割り当てられたとする。このとき、従来の方法では、フレームタイミングを示す情報を載せる必要があるため、更に１６個の系列が必要である。すなわち、Ｓ−ＳＣＨとしては、３２個が必要である。一方、本実施形態の方法では、フレームタイミングは個別スクランブル符号で示されるため、追加のＳ−ＳＣＨ系列は必要なく１６個で十分である。これは、移動局装置でＳ−ＳＣＨの検出のために必要となる相関器の回路規模を縮小できることを意味する。【００６９】
図９は、第２の実施形態における基地局装置のＳＣＨ信号生成部の詳細について示したブロック図である。セルＩＤ情報が、Ｐ−ＳＣＨ生成部９０とＳ−ＳＣＨ生成部９１に入力され、当該セルＩＤ情報よりＰ−ＳＣＨの系列が選択される。また、同様にセルＩＤ情報を基にＳ−ＳＣＨ生成部９１よりＳ−ＳＣＨ１およびＳ−ＳＣＨ２が生成される。本実施形態では、Ｓ−ＳＣＨ生成部９１にセルＩＤ情報のみが入力される例であるが、フレームタイミング情報以外の基地局装置情報（例えば送信アンテナ数情報）が入力されても良い。その他の基地局装置情報が入力される場合、Ｓ−ＳＣＨ１系列はセルＩＤ情報のみを含むように系列番号の割り振りを行なうことで、Ｓ−ＳＣＨ２に乗算される個別スクランブル符号数を多く取ることが可能である。続いて、Ｐ−ＳＣＨ対応スクランブル符号生成部９２に、Ｐ−ＳＣＨ生成部９０から選択されたＰ−ＳＣＨの系列情報（Ｐ−ＳＣＨ信号情報と称す。）が入力され、適切なＰ−ＳＣＨ対応スクランブル符号が生成される。前記Ｐ−ＳＣＨ対応スクランブル符号は、Ｓ−ＳＣＨ１系列およびＳ−ＳＣＨ２系列に乗算される。【００７０】
また、Ｓ−ＳＣＨ１が示す系列番号に対応した情報（Ｓ−ＳＣＨ１情報と称す。）とフレームタイミング情報が個別スクランブル符号生成部９３に入力され、当該Ｓ−ＳＣＨ１情報に応じたサブフレーム番号＃０とサブフレーム番号＃５を示す２つの個別スクランブル符号が選択される。そして、前記個別スクランブル符号は、送信されるサブフレーム番号に応じて適切にどちらか一方がＳ−ＳＣＨ２系列に乗算される。最後に、上述した符号によるスクランブルが実施されたＳ−ＳＣＨ１とＳ−ＳＣＨ２がＳ−ＳＣＨマッピング部９４に入力され、図３に示したサブキャリア位置にマッピングされる。なお、各スクランブル符号の乗算の順番は必ずしも本説明に従わなくても問題はない。例えば、Ｐ−ＳＣＨ対応スクランブル符号がＳ−ＳＣＨマッピング部の出力信号に対して乗算されても、本発明の趣旨には影響しない。【００７１】
図１０は、第２の実施形態における移動局装置のセルサーチ部の詳細について示したブロック図である。セルサーチ制御がＰ−ＳＣＨ検出処理の場合については図６と同じため説明を省く。セルサーチ制御がＳ−ＳＣＨ検出処理であったとき、受信信号に対してＰ−ＳＣＨ対応スクランブル符号のいずれか一方が乗算される。また、受信信号はＳ−ＳＣＨ１とＳ−ＳＣＨ２とに分けられ、Ｓ−ＳＣＨ１信号がＳ−ＳＣＨ相関部１００に入力される。Ｓ−ＳＣＨ相関部１００には、Ｓ−ＳＣＨレプリカ信号選択部１０１よりＳ−ＳＣＨレプリカ信号が入力され、受信信号との相関検波処理が行なわれる。Ｓ−ＳＣＨ相関部１００で相関検波により生成されたＳ−ＳＣＨ１のＳ−ＳＣＨ相関信号は、Ｓ−ＳＣＨ判定部１０２へと送信され、また、同時にＳ−ＳＣＨ１のＳ−ＳＣＨ相関信号はＳ−ＳＣＨ信号保持部１０３へと送信され、Ｓ−ＳＣＨ１のＳ−ＳＣＨ相関信号が記憶される。【００７２】
Ｓ−ＳＣＨ判定部１０２は、Ｓ−ＳＣＨ相関部１００より出力されたＳ−ＳＣＨ１のＳ−ＳＣＨ相関信号の相関値が、ある一定以上であればＳ−ＳＣＨ１の系列を正しく検出したと判断し、得られたＳ−ＳＣＨ１系列情報を個別スクランブル符号選択部１０４へと入力する。個別スクランブル符号選択部１０４は、Ｓ−ＳＣＨ１系列情報に基づく２つの個別スクランブル符号のどちらか一方を選択し、Ｓ−ＳＣＨ２へと乗算する。【００７３】
個別スクランブル符号が乗算されたＳ−ＳＣＨ２信号は、Ｓ−ＳＣＨ相関部１００に入力され、以降、Ｓ−ＳＣＨ１と同様の相関検波処理が行なわれる。Ｓ−ＳＣＨ判定部１０２は、Ｓ−ＳＣＨ相関部１００より出力されたＳ−ＳＣＨ２のＳ−ＳＣＨ相関信号の相関値がある一定以上であればＳ−ＳＣＨ２の系列を正しく検出したと判断する。なお、Ｓ−ＳＣＨ２のＳ−ＳＣＨ相関信号の相関値がある一定未満であれば、個別スクランブル符号選択部１０４に対し、もう一方の個別スクランブル符号をＳ−ＳＣＨ２に乗算するように制御信号を入力し、再度相関検波処理を実施する。【００７４】
また、検出済みのＳ−ＳＣＨ１とＳ−ＳＣＨ２の系列の組み合わせから得られたＳ−ＳＣＨ検出情報（フレームタイミング情報、セルＩＤ情報などの基地局装置情報）をセル情報処理部１７へ出力する。【００７５】
なお、本実施形態ではＳ−ＳＣＨ２に対しサブフレーム毎に異なる個別スクランブル符号が乗算されている場合（図８Ａまたは図８Ｃの方法）の例であるが、Ｓ−ＳＣＨ２に対しＰ−ＳＣＨ対応スクランブル符号が乗算される場合（図８Ｂの方法）は、Ｐ−ＳＣＨ系列情報が個別スクランブル符号選択部にも入力されるようにすれば対応可能である。また、Ｓ−ＳＣＨ１とＳ−ＳＣＨ２の信号系列を先に乗算し、乗算後の信号と個別スクランブル符号との相関を取ることによってＳ−ＳＣＨ検出情報を取得することも可能である。【００７６】
図１１は、図１０の移動局装置におけるセルサーチ部のＳ−ＳＣＨ系列を同定するまでの処理の一例を示すフローチャートを示したものである。Ｓ−ＳＣＨ系列検出処理の開始後、まず、Ｐ−ＳＣＨ対応スクランブル符号乗算処理（ステップＳ１０）にて、すでに同定したＰ−ＳＣＨ系列に応じて選択されたＰ−ＳＣＨ対応スクランブル符号と、受信信号とを乗算した信号が出力される。続いて、Ｐ−ＳＣＨ対応スクランブル符号が乗算された信号からＳ−ＳＣＨ１の位置の信号を取り出し、既知のＳ−ＳＣＨ１系列とで相関を取り、所定の閾値を越える相関値が検出された場合に、Ｓ−ＳＣＨ１が検出されたとする（ステップＳ１１）。Ｓ−ＳＣＨ１系列との相関が全て閾値未満であった場合は、次のサブフレーム以降も検出処理を繰り返すが、消費電力削減のため、任意のタイミングで検出失敗と判断してＳ−ＳＣＨ系列検出処理を終わらせても良い。【００７７】
また、個別スクランブル符号選択処理（ステップＳ１２）にて、Ｓ−ＳＣＨ１の系列番号を基に選択された２つのＳ−ＳＣＨ２の個別スクランブル符号のいずれか一方を選択する。選択した個別スクランブル符号は続く個別スクランブル符号乗算処理（ステップＳ１３）にて、Ｓ−ＳＣＨ２に乗算される。個別スクランブル符号が乗算された信号に対し、既知のＳ−ＳＣＨ２系列とで相関を取り、所定の閾値を越える相関が検出された場合に、Ｓ−ＳＣＨ２が検出されたとする（ステップＳ１４）。Ｓ−ＳＣＨ２系列との相関が全て閾値未満であった場合は、別個別スクランブル符号選択処理（ステップＳ１５）にて、選択しなかったもう一方の個別スクランブル符号を選択し、再度Ｓ−ＳＣＨ２の検出を試みる。なお、個別スクランブル符号のいずれも相関が低かった場合は、個別スクランブル符号選択処理に戻り、以降のサブフレームの受信信号を用いて再度Ｓ−ＳＣＨ２の検出を試みるが、消費電力削減のため、任意のタイミングで検出失敗と判断してＳ−ＳＣＨ系列検出処理を終わらせても良い。【００７８】
ステップＳ１４において、閾値を越えたことで、Ｓ−ＳＣＨ２が検出されたと判断された場合、乗算した個別スクランブル符号を基にフレームタイミングを検出することができる（ステップＳ１６）。また、先に検出したＳ−ＳＣＨ１の系列番号と、Ｓ−ＳＣＨ２の系列番号の組み合わせからセルＩＤを検出し（ステップＳ１７）、Ｓ−ＳＣＨ系列検出処理を終了させる。なお、本フロー以外の順番で処理を行なっても良く、例えば２つの個別スクランブル符号の乗算を平行して処理するフローであっても問題ない。更には、個別スクランブル符号が乗算された状態のＳ−ＳＣＨ２信号に対して相関を検出するようなフローであっても良い。【００７９】
本実施形態により、同一基地局装置内のセルのＳ−ＳＣＨは、それぞれＰ−ＳＣＨ対応スクランブル符号によって異なるスクランブル処理が施されるため、干渉が減少し、セルサーチ性能が向上する。また、個別スクランブル符号によってフレームタイミングが示されるため、移動局装置で保持するＳ−ＳＣＨ系列の数が減少し、移動局装置の構成を簡略化することが可能となる。また、セルサーチ性能の向上に伴うセルサーチ時間の低減によって、移動局装置の消費電力を下げることが可能となる。【００８０】
（第３の実施形態）
次に、本発明の第３の実施形態について説明する。図１２は、第３の実施形態におけるＳ−ＳＣＨが配置されるサブキャリアマッピングの一例について示した図である。Ｓ−ＳＣＨは、Ｓ−ＳＣＨ１とＳ−ＳＣＨ２に分割される。図１２において、Ｓ−ＳＣＨ１とＳ−ＳＣＨ２は符号長３１の系列であり、中心のＤＣサブキャリアを除いた残りのサブキャリアに交互に配置される。ＤＣサブキャリアには信号は配置されない。また、左端のサブキャリア番号をサブキャリア＃０、右端のサブキャリア番号をサブキャリア＃６２とする。また、図に示すように、サブフレーム番号＃０とサブフレーム番号＃５とで、Ｓ−ＳＣＨ１とＳ−ＳＣＨ２の配置が逆になる。【００８１】
なお、図１２のＳ−ＳＣＨのサブキャリアマッピング方法における個別スクランブル符号の乗算の仕方は２通り考えられる。
（１）サブフレーム番号に関係なく、個別スクランブル符号はサブキャリア＃０に配置されるＳ−ＳＣＨの系列番号を基に決定される。すなわち、サブフレーム番号＃０であれば、Ｓ−ＳＣＨ１の系列番号に基づく個別スクランブル符号がＳ−ＳＣＨ２に乗算され、サブフレーム番号＃５であれば、Ｓ−ＳＣＨ２の系列番号に基づく個別スクランブル符号がＳ−ＳＣＨ１に乗算される。
（２）サブフレーム番号に関係なく、個別スクランブル符号はＳ−ＳＣＨ１の系列番号を基に決定される。【００８２】
本実施形態は、（１）と（２）のいずれの方法にも対応可能であるが、ここでは（１）の方法での実現方法について説明する。【００８３】
本実施形態では、Ｐ−ＳＣＨ対応スクランブル符号として６つの系列（Ｐ１〜Ｐ３、Ｐ１’〜Ｐ３’）を用意する。そして、２系列を１セットとしてＰ−ＳＣＨ系列に一意に対応付ける。このとき、異なるＰ−ＳＣＨ系列に対応する２つのＰ−ＳＣＨ対応スクランブル符号と使用するサブフレーム番号の組み合わせが各々異なるように選択する。このとき、Ｐ１〜Ｐ３、Ｐ１’〜Ｐ３’は全て異なる６つの系列であっても良いし、Ｐ１〜Ｐ３を巡回シフト（例えばシフト量＝符号長／２）することでＰ１’〜Ｐ３’を生成しても良いし、Ｐ１を巡回シフト（例えばシフト量＝符号長／３）してＰ２〜Ｐ３と生成し、Ｐ１’を巡回シフト（例えばシフト量＝符号長／３）してＰ２’〜Ｐ３’を生成しても良い。あるいは、Ｐ１を巡回シフト（例えばシフト量＝符号長／６）してＰ２〜Ｐ３、Ｐ１’〜Ｐ３’を生成しても良い。また、Ｐ１〜Ｐ３に別の系列を乗算してＰ１’〜Ｐ３’を生成しても良い（例えば、同一グループのＰＮ系列同士を乗算することによって、同一グループ内の別のＰＮ系列、あるいは同一グループ内の別のＰＮ系列の符号が反転した系列が生成される場合があることを利用し、Ｐ１〜Ｐ３をＰＮ系列として、前記Ｐ１〜Ｐ３に同一グループの別のＰＮ系列Ｐ４を乗算して、Ｐ１’〜Ｐ３’を生成しても良い。）。また、Ｐ１〜Ｐ３の系列の一部（例えばサブキャリア＃３２〜＃６２に配置される系列）または全部に−１を乗算してＰ１’〜Ｐ３’を生成しても良い。【００８４】
図１３Ａは、異なるサブフレーム番号のＳ−ＳＣＨ（Ｓ−ＳＣＨ１とＳ−ＳＣＨ２を周波数多重したもの）に、それぞれ異なるＰ−ＳＣＨ対応スクランブル符号を乗算する場合の例である。例えば、同定したＰ−ＳＣＨ系列（図のＰ−ＳＣＨ＃ｎ）が１であったとき、移動局装置はＳ−ＳＣＨに乗算されているＰ−ＳＣＨ対応スクランブル符号としては、Ｐ１またはＰ１’が使用されていることがわかる。よって、Ｐ１を乗算することで逆スクランブル（デスクランブル）し、Ｓ−ＳＣＨ１が検出されればサブフレーム番号＃０であることがわかる。一方、Ｐ１’を乗算することで逆スクランブル（デスクランブル）し、Ｓ−ＳＣＨ１が検出されればサブフレーム番号＃５であることがわかる。なお、前記（２）の方法ではＳ−ＳＣＨ２が検出される。【００８５】
図１３Ｂは、サブフレーム番号＃０のＳ−ＳＣＨ１とＳ−ＳＣＨ２に乗算するＰ−ＳＣＨ対応スクランブル符号と、サブフレーム番号＃５のＳ−ＳＣＨ１とＳ−ＳＣＨ２に乗算するＰ−ＳＣＨ対応スクランブル符号とが異なる場合の例である。図１３Ａとの違いは、Ｓ−ＳＣＨ１とＳ−ＳＣＨ２を周波数多重した後にスクランブル符号を乗算するのではなく、それぞれにスクランブル符号が乗算される点である。【００８６】
また、図１３Ｃに示すように、Ｐ−ＳＣＨ系列毎に異なるサブフレーム間で別のＰ−ＳＣＨ対応スクランブル符号を乗算しても良い。また、Ｓ−ＳＣＨとＰ−ＳＣＨ対応スクランブル符号の対応関係は図１３Ｄに示すような方法でも良い。なお、各Ｐ−ＳＣＨ対応スクランブル符号は、１つの長い系列で構成されていても、短い系列の複数繰り返しで形成されていても良い。【００８７】
このように、本実施形態のＳ−ＳＣＨはサブフレーム毎に異なるスクランブル符号がかかることになるため、移動局装置がＳ−ＳＣＨに乗算されているＰ−ＳＣＨ対応スクランブル符号を特定することによって、同時にフレームタイミングが特定されることになる。【００８８】
次に、本実施形態の利点について簡単に述べる。例えば、セルＩＤとして２５６の候補があり、Ｓ−ＳＣＨ１の候補となる系列が１６個、Ｓ−ＳＣＨ２の候補となる系列が１６個割り当てられたとする。このとき、本実施形態の方法では、フレームタイミングはＰ−ＳＣＨ対応スクランブル符号で示されるため、Ｓ−ＳＣＨ系列は１６個で十分である。これは、移動局装置でＳ−ＳＣＨの検出のために必要となる相関器の回路規模を縮小できることを意味する。また、サブフレーム間でＳ−ＳＣＨ１およびＳ−ＳＣＨ２の配置が異なることを利用して検出率向上のために追加の基地局情報を載せることが可能である。別の基地局情報とは、例えばフレームタイミング再確認用の情報、セルＩＤ情報である。セルＩＤ情報を載せる場合、候補の系列数は８個にまで減らすことが可能である。【００８９】
図１４は、第３の実施形態における基地局装置のＳＣＨ信号生成部の詳細について示したブロック図である。セルＩＤ情報が、Ｐ−ＳＣＨ生成部とＳ−ＳＣＨ生成部１４１に入力され、当該セルＩＤ情報よりＰ−ＳＣＨの系列が選択される。また、同様にセルＩＤ情報を基にＳ−ＳＣＨ生成部１４１よりＳ−ＳＣＨ１およびＳ−ＳＣＨ２が生成される。本実施形態では、Ｓ−ＳＣＨ生成部１４１にセルＩＤ情報のみが入力される例であるが、フレームタイミング情報以外の基地局装置情報（例えば送信アンテナ数情報）が入力されても良い。その他の基地局装置情報が入力される場合、Ｓ−ＳＣＨ１系列はセルＩＤ情報のみを含むように系列番号の割り振りを行なうことで、Ｓ−ＳＣＨ２に乗算される個別スクランブル符号数を多く取ることが可能である。続いて、Ｐ−ＳＣＨ対応スクランブル符号生成部１４２に、Ｐ−ＳＣＨ生成部１４０から選択されたＰ−ＳＣＨの系列情報（Ｐ−ＳＣＨ信号情報と称す。）とフレームタイミング情報が入力され、Ｐ−ＳＣＨ信号情報に応じたサブフレーム番号＃０とサブフレーム番号＃５を示す２つのＰ−ＳＣＨ対応スクランブル符号が生成される。【００９０】
前記２つのＰ−ＳＣＨ対応スクランブル符号のうち、送信されるサブフレーム番号に応じた適切な一方がＳ−ＳＣＨ１系列およびＳ−ＳＣＨ２系列に乗算される。このときの乗算方法は図１３Ａ〜図１３Ｄのいずれの方法でも良い。また、Ｓ−ＳＣＨ１の系列番号を示す情報（Ｓ−ＳＣＨ１情報と称す。）が個別スクランブル符号生成部１４３に入力され、当該Ｓ−ＳＣＨ１情報に対応した個別スクランブル符号が生成される。そして、前記個別スクランブル符号はＳ−ＳＣＨ２に乗算される。最後に、上述した符号によるスクランブルが実施されたＳ−ＳＣＨ１とＳ−ＳＣＨ２がＳ−ＳＣＨマッピング部１４４に入力され、更に、フレームタイミング情報に従い、サブフレーム番号に応じて図１２に示したサブキャリア位置に周波数多重されて配置される。【００９１】
なお、各スクランブル符号の乗算の順番は必ずしも本説明に従わなくても問題はない。例えば、Ｐ−ＳＣＨ対応スクランブル符号がＳ−ＳＣＨマッピング部の出力信号に対して乗算されても、本発明の趣旨には影響しない。【００９２】
本実施形態の移動局装置のセルサーチ部は、図６の構成と同じで良い。また、図７と同じＳ−ＳＣＨ系列検出方法を用いることが可能であるため説明を省略する。【００９３】
本実施形態により、同一基地局装置内のセルのＳ−ＳＣＨは、それぞれＰ−ＳＣＨ対応スクランブル符号によって異なるスクランブル処理が施されるため、干渉が減少し、セルサーチ性能が向上する。また、Ｐ−ＳＣＨ対応スクランブル符号によってフレームタイミングが示されるため、移動局装置で保持するＳ−ＳＣＨ系列の数が減少し、移動局装置の構成を簡略化することが可能となる。また、セルサーチ性能の向上に伴うセルサーチ時間の低減によって、移動局装置の消費電力を下げることが可能となる。【００９４】
（第４の実施形態）
次に、本発明の第４の実施形態について説明する。第４の実施形態では、図１２に示したサブキャリアマッピングにおいて、フレームタイミングを示す符号として、個別スクランブル符号を使用する。本実施形態では、Ｓ−ＳＣＨ１に基づいた個別スクランブル符号が２つ決まるようにスクランブル符号を対応付け、異なるサブフレーム番号で使用する。個別スクランブル符号の対応関係は図８Ａ〜図８Ｃのいずれかを適用することが可能であるため説明を省略する。【００９５】
以下、本実施形態の利点について述べる。例えば、セルＩＤとして２５６の候補があり、Ｓ−ＳＣＨ１の候補となる系列が１６個、Ｓ−ＳＣＨ２の候補となる系列が１６個割り当てられたとする。このとき、本実施形態の方法では、フレームタイミングは個別スクランブル符号で示されるため、Ｓ−ＳＣＨ系列は１６個で十分である。これは、移動局装置でＳ−ＳＣＨの検出のために必要となる相関器の回路規模を縮小できることを意味する。また、サブフレーム間でＳ−ＳＣＨ１およびＳ−ＳＣＨ２の配置が異なることを利用して検出率向上のために追加の基地局情報を載せることが可能である。別の基地局情報とは、例えばフレームタイミング再確認用の情報、セルＩＤ情報である。セルＩＤ情報を載せる場合、候補の系列数は８個にまで減らすことが可能である。【００９６】
図１５は、第４の実施形態における基地局装置のＳＣＨ信号生成部の詳細について示したブロック図である。セルＩＤ情報が、Ｐ−ＳＣＨ生成部１５０とＳ−ＳＣＨ生成部１５１に入力され、当該セルＩＤ情報よりＰ−ＳＣＨの系列が選択される。また、同様にセルＩＤ情報を基にＳ−ＳＣＨ生成部１５１よりＳ−ＳＣＨ１およびＳ−ＳＣＨ２が生成される。本実施形態では、Ｓ−ＳＣＨ生成部１５１にセルＩＤ情報のみが入力される例であるが、フレームタイミング情報以外の基地局装置情報（例えば送信アンテナ数情報）が入力されても良い。その他の基地局装置情報が入力される場合、Ｓ−ＳＣＨ１系列はセルＩＤ情報のみを含むように系列番号の割り振りを行なうことで、Ｓ−ＳＣＨ２に乗算される個別スクランブル符号数を多く取ることが可能である。続いて、Ｐ−ＳＣＨ対応スクランブル符号生成部１５２に、Ｐ−ＳＣＨ生成部１５０から選択されたＰ−ＳＣＨの系列情報（Ｐ−ＳＣＨ信号情報と称。）が入力され、適切なＰ−ＳＣＨ対応スクランブル符号が生成される。【００９７】
前記Ｐ−ＳＣＨ対応スクランブル符号は、Ｓ−ＳＣＨ１系列およびＳ−ＳＣＨ２系列に乗算される。また、Ｓ−ＳＣＨ１が示す系列番号に対応した情報（Ｓ−ＳＣＨ１情報と称す。）とフレームタイミング情報が個別スクランブル符号生成部１５３に入力され、当該Ｓ−ＳＣＨ１情報に応じたサブフレーム番号＃０とサブフレーム番号＃５を示す２つの個別スクランブル符号が選択される。そして、前記個別スクランブル符号は、送信されるサブフレーム番号に応じて適切にどちらか一方がＳ−ＳＣＨ２系列に乗算される。最後に、上述した符号によるスクランブルが実施されたＳ−ＳＣＨ１とＳ−ＳＣＨ２がＳ−ＳＣＨマッピング部１５４に入力され、更に、フレームタイミング情報に従い、サブフレーム番号に応じて図１２に示したサブキャリア位置に周波数多重されて配置される。【００９８】
なお、各スクランブル符号の乗算の順番は必ずしも本説明に従わなくても問題はない。例えば、Ｐ−ＳＣＨ対応スクランブル符号がＳ−ＳＣＨマッピング部の出力信号に対して乗算されても、本発明の趣旨には影響しない。【００９９】
本実施形態の移動局装置のセルサーチ部は、図１０の構成と同じで良い。また、図１１と同じＳ−ＳＣＨ系列検出方法を用いることが可能であるため説明を省略する。【０１００】
本実施形態により、同一基地局装置内のセルのＳ−ＳＣＨは、それぞれ個別スクランブル符号によって異なるスクランブル処理が施されるため、干渉が減少し、セルサーチ性能が向上する。また、個別スクランブル符号によってフレームタイミングが示されるため、移動局装置で保持するＳ−ＳＣＨ系列の数が減少し、移動局装置の構成を簡略化することが可能となる。また、セルサーチ性能の向上に伴うセルサーチ時間の低減によって、移動局装置の消費電力を下げることが可能となる。【０１０１】
（第５の実施形態）
次に、本発明の第５の実施形態について説明する。本実施形態では、基地局装置から送信された符号の移動局装置における効率的な検出について述べる。ここでは、符号に用いる系列としてＭ系列を例に説明する。Ｍ系列は通常、図１６に示すようなシフトレジスタと排他的論理和で構成されるＭ系列発生回路に、
（ａ，ｂ，ｃ，ｄ，ｅ，ｆ）＝（０，０，０，０，０，０）
以外の初期値を代入することで順次出力される。図１６に示す発生回路からは、長さ６３で一巡するＭ系列が取得できる。この符号長６３のＭ系列を巡回シフトすることにより最大で６３種類の系列を生成することができる。【０１０２】
また、シフトレジスタの初期値として、
（ａ，ｂ，ｃ，ｄ，ｅ，ｆ）＝（０，０，０，０，０，１）から（１，１，１，１，１，１）
までの６３種類を代入しても同様に６３種類の符号長６３のＭ系列が得られる。また、シフトレジスタの数や排他的論理和を行なう場所を変えることにより、異なる符号長や種類の系列が生成できる。このＭ系列における０を−１としたものを符号として用いる。【０１０３】
ここで、ｎ（１≦ｎ≦６３）を６ビットの２進数で表したものを、
（ｎ１，ｎ２，ｎ３，ｎ４，ｎ５，ｎ６）
とする。例えば、ｎ＝７のときは、
（ｎ１，ｎ２，ｎ３，ｎ４，ｎ５，ｎ６）＝（０，０，０，１，１，１）
となる。【０１０４】
以降、前記Ｍ系列発生回路の初期値として、
（ａ，ｂ，ｃ，ｄ，ｅ，ｆ）＝（ｎ１，ｎ２，ｎ３，ｎ４，ｎ５，ｎ６）を代入して得られるＭ系列の０を−１にしたものを、
符号Ｐ（ｎ，ｍ）、（ｍ＝１，２，３，・・・，６３）
とおく。符号Ｐ（ｎ）の自己相関値は６３となり、相互相関値は−１となる。【０１０５】
上記のＰ（ｎ，ｍ）のうち、例えば、
（Ｐ（１，ｍ），Ｐ（２，ｍ），Ｐ（３，ｍ），Ｐ（１０，ｍ），Ｐ（１２，ｍ），Ｐ（１６，ｍ））
の６個の符号を通信に用いると仮定すると、基地局装置からは前記６種類の符号の中から１種類の符号が送信される。移動局装置では、予め保持している前記６種類の符号のレプリカと受信信号との相関検波を行ない、各相関値を算出する。さらに各相関値のうち絶対値が最大の値をとるもの、あるいは予め設定した閾値を超えるものなどを検出し、送信された符号を同定する。【０１０６】
相関検波器の一例は、図１７に示すように、符号長６３の入力信号をパラレル信号に変換するＳ／Ｐ変換部２１０１と、パラレル信号に変換された入力信号とレプリカとの乗算を行なう乗算部２１０３と、乗算部２１０３で乗算された各値を加算する加算器２１０２から構成される。ここで、乗算部２１０３は、レプリカが１、−１の２値のみをとる場合は、入力信号の符号ビット（サインビット）の反転処理などで代用することも可能である。【０１０７】
移動局装置では、図１７の相関検波器を用いて、自局で保持している６種類の符号のレプリカと受信した符号の各相関をとり、絶対値が最大の値をとる符号、あるいは絶対値が予め設定した閾値を超える符号を基地局装置から送信された符号として同定する。すなわち、通常、符号の検出にはＮ個のレプリカに対応したＮ個の相関器を用意するか、１個の相関器でＮ回の演算を行なう必要がある。【０１０８】
ここで、図１６の発生回路を用いて生成されたＰ（ｎ，ｍ）について以下の式が成り立つ。
（式１）
Ｐ（１９，ｍ）×Ｐ（１５，ｍ）×（−１）＝Ｐ（２８，ｍ）
Ｐ（３２，ｍ）×Ｐ（１５，ｍ）×（−１）＝Ｐ（４７，ｍ）
Ｐ（３５，ｍ）×Ｐ（１５，ｍ）×（−１）＝Ｐ（４４，ｍ）
これは一例であり、他にも同様の式が成り立つ組み合わせは存在する。また、シフトレジスタの数を変えた場合、排他的論理和の場所を変えた場合においても同様の式が成り立つ組み合わせは存在する。【０１０９】
式１から次の式が成り立つ。
（式２）
Ｐ（１９，ｍ）×Ｐ（１９，ｍ）＝１，１，１，１，１，１，１，・・・，１
Ｐ（２８，ｍ）×Ｐ（１９，ｍ）＝Ｐ（１５，ｍ）×（−１）
Ｐ（３２，ｍ）×Ｐ（３２，ｍ）＝１，１，１，１，１，１，１，・・・，１
Ｐ（４７，ｍ）×Ｐ（３２，ｍ）＝Ｐ（１５，ｍ）×（−１）
Ｐ（３５，ｍ）×Ｐ（３５，ｍ）＝１，１，１，１，１，１，１，・・・，１
Ｐ（４４，ｍ）×Ｐ（３５，ｍ）＝Ｐ（１５，ｍ）×（−１）
上記式２の特性を利用して、Ｐ（２８，ｍ）、Ｐ（４７，ｍ）、Ｐ（４４，ｍ）のレプリカを用意せず、Ｐ（１９，ｍ）、Ｐ（３２，ｍ）、Ｐ（３５，ｍ）のレプリカのみを用意することにより６種類の符号を検出することができる。【０１１０】
具体的には、上記検出を行なうための相関検波器は、図１８に示すように、符号長６３の入力信号をパラレル信号に変換するＳ／Ｐ変換部２２０１と、パラレル信号に変換された入力信号とレプリカとの乗算を行なう乗算部２２０６と、乗算部２２０６で乗算された各値のうち、Ｐ（１５，ｍ）の値が−１となるｍに対応する乗算部２２０６の出力値を加算する第１の加算器２２０２と、乗算部２２０６で乗算された各値のうち、Ｐ（１５，ｍ）の値が＋１となるｍに対応する乗算部２２０６の出力値を加算する第２の加算器２２０３と、第１の加算器２２０２の出力と第２の加算器２２０３の出力を加算する第３の加算器２２０４と、第１の加算器２２０２の出力から第２の加算器２２０３の出力を減算する減算器２２０５から構成される。【０１１１】
上記回路構成のように、乗算部から出力された値の加算を、Ｐ（１５，ｍ）の値が１となるｍの箇所と、−１となるｍの箇所を分けて加算をしておき、両方の加算結果を加算することにより、Ｐ（１９，ｍ）、Ｐ（３２，ｍ）、Ｐ（３５，ｍ）のレプリカに対する相関値を得ることができる。また、第１の加算器２２０２の加算結果から第２の加算器２２０３の加算結果を減算することにより、前記式２の右辺にＰ（１５，ｍ）×（−１）を乗算することと等価の処理となり、Ｐ（２８，ｍ）、Ｐ（４７，ｍ）、Ｐ（４４，ｍ）のレプリカに対する相関値を得ることができる。【０１１２】
上記相関検波器を用いることにより、６種類の入力信号に対してすべての相関検波処理を行なうことなく、３つのレプリカに対する相関検波処理に加算器と減算器を追加するだけで６種類の入力信号に対する相関値を取得することができる。本相関検波器を使用することによって、複数の相関検波器で並列に処理を行なう場合と比較して回路規模の削減が可能である。また、１つの相関検波器で順次処理を行なう場合と比較して処理時間の削減が可能となる。【０１１３】
なお、以上の説明に用いた値は、あくまで一例であり、
Ｐ（ｐ，ｍ）×Ｐ（ｊ，ｍ）＝Ｐ（ｑ，ｍ）
または、Ｐ（ｐ，ｍ）×Ｐ（ｊ，ｍ）×（−１）＝Ｐ（ｑ，ｍ）
を満たすＮ個のｐとＮ個のｑを用いることにより、Ｎ個のレプリカ番号に対する相関検波処理に加算器と減算器を追加することで、２Ｎ個のレプリカ番号に対する相関検波処理を実現することができる。【０１１４】
（第６の実施形態）
次に、本発明の第６の実施形態について説明する。本実施形態では、第１の実施形態におけるＰ−ＳＣＨ対応スクランブル符号に第５の実施形態で述べた符号を適用した場合の処理について示す。Ｐ−ＳＣＨ対応スクランブル符号は、図４Ｂに示す符号長３１のＰ１〜Ｐ３、Ｐ１’〜Ｐ３’を用いる。【０１１５】
図１９は、図１６とは符号長が異なるＭ系列発生回路を示した図である。図１９で生成されるＭ系列を用いた符号は第５の実施形態と同様に、ｎ（１≦ｎ≦３１）を５ビットの２進数で表したものを、
（ｎ１，ｎ２，ｎ３，ｎ４，ｎ５）として、
初期値（ａ，ｂ，ｃ，ｄ，ｅ）＝（ｎ１，ｎ２，ｎ３，ｎ４，ｎ５）を代入して得られる系列の０を−１にしたものを、符号Ｐ（ｎ，ｍ）（ｍ＝１，２，３，・・・，３１）とおく。【０１１６】
ここで、図１９の発生回路を用いて生成されたＰ（ｎ，ｍ）について以下の式が成り立つ。
（式３）
Ｐ（１１，ｍ）×Ｐ（５，ｍ）×（−１）＝Ｐ（１４，ｍ）
Ｐ（１７，ｍ）×Ｐ（５，ｍ）×（−１）＝Ｐ（２０，ｍ）
Ｐ（２４，ｍ）×Ｐ（５，ｍ）×（−１）＝Ｐ（２９，ｍ）
これは一例であり、他にも同様の式が成り立つ組み合わせは存在する。【０１１７】
ここで、
（式４）
Ｐ１＝Ｐ（１１，ｍ）
Ｐ２＝Ｐ（１７，ｍ）
Ｐ３＝Ｐ（２４，ｍ）
Ｐ１’＝Ｐ（１４，ｍ）
Ｐ２’＝Ｐ（２０，ｍ）
Ｐ３’＝Ｐ（２９，ｍ）
とおき、基地局装置から送信処理を行なう。【０１１８】
移動局装置では、同定したＰ−ＳＣＨ系列（図４ＡのＰ−ＳＣＨ＃ｎ）が１であったとき、移動局装置はＳ−ＳＣＨ１およびＳ−ＳＣＨ２に乗算されているＰ−ＳＣＨ対応スクランブル符号として、Ｐ１またはＰ１’が使用されていることがわかる。Ｓ−ＳＣＨ１の検出にも、第５の実施形態と同様の相関検波処理を行なうことが必要である。そのため、通常であれば、Ｐ１を乗算することで逆スクランブルした受信信号とＳ−ＳＣＨ１候補の各レプリカＱ（Ａ，ｍ）（ＡはＳ−ＳＣＨ１候補となるレプリカ番号）との相関値と、Ｐ１’を乗算することで逆スクランブルした受信信号とＳ−ＳＣＨ１候補の各レプリカとの相関値とを導出し、絶対値が最大となる逆スクランブルに用いたスクランブル符号とレプリカの番号を検出してフレームタイミングとＳ−ＳＣＨ１を同定する。【０１１９】
しかし、Ｐ１とＰ１’は、式３に示したような特徴を有する。そのため、第５の実施形態における図１８の相関検波器と同様に、後述する図２０で示す相関検波器をＳ−ＳＣＨ１候補の各レプリカとの相関検波に用いて、入力信号としてＰ１で逆スクランブルした信号を用いることにより、Ｐ１で逆スクランブルした入力信号との相関検波処理を行なう際に、Ｐ１ではなくＰ１’で逆スクランブルした受信信号との相関検波した値も同時に取得することが可能となる。【０１２０】
図２０に示す上記の相関検波器は、符号長３１の入力信号をパラレル信号に変換するＳ／Ｐ変換部２４０１と、パラレル信号に変換された入力信号とＳ−ＳＣＨ１候補のレプリカとの乗算を行なう乗算部２４０６と、乗算部２４０６で乗算された各値のうち、Ｐ（５，ｍ）の値が−１となるｍに対応する乗算部２４０６の出力値を加算する第１の加算器２４０２と、乗算部２４０６で乗算された各値のうち、Ｐ（５，ｍ）の値が＋１となるｍに対応する乗算部２４０６の出力値を加算する第２の加算器２４０３と、第１の加算器２４０２の出力と第２の加算器２４０３の出力を加算する第３の加算器２４０４と、第１の加算器２４０２の出力から第２の加算器２４０３の出力を減算する減算器２４０５から構成されている。【０１２１】
上記回路構成のように、乗算部から出力された値の加算を、Ｐ（５，ｍ）の値が１となるｍの箇所と、−１となるｍの箇所を分けて加算をしておき、両方の加算結果を加算することにより、Ｐ１で逆スクランブルした信号のレプリカに対する相関値を得ることができ、第１の加算器２４０２の加算結果から第２の加算器２４０３の加算結果を減算することにより、Ｐ１’で逆スクランブルした信号のレプリカに対する相関値を得ることができる。【０１２２】
上記相関検波器を用いることにより、２つの逆スクランブルした信号に対して相関検波処理を行なうことなく、１つの逆スクランブルした信号に対する相関検波処理に加算器と減算器を追加するだけで２つの逆スクランブルした信号に対する相関値を取得することができ、複数の相関検波器で並列に処理を行なう場合には回路規模の削減、あるいは１つの相関検波器で順次処理を行なう場合には処理時間の削減が可能となる。【０１２３】
なお、図２０の相関検波器は、Ｓ−ＳＣＨ１候補のレプリカとの相関検波を前提に説明をしているが、同様にＳ−ＳＣＨ２候補のレプリカとの相関検波処理が可能である。この場合、Ｓ−ＳＣＨ１での処理で既にフレームタイミング番号が検出されていることを利用して、第３の加算器２４０４あるいは減算器２４０５のどちらか一方の出力のみを用いてＳ−ＳＣＨ２を検出することも可能である。【０１２４】
以上説明した第５、第６の実施形態では、Ｍ系列を例に説明を行なったが、本発明は、これに限定されるものではなく、前記特性を有する系列（アダマール系列、Ｗａｌｓｈ系列、Ｇｏｌａｙ系列、ＰＮ系列、ランダム系列）であれば適用可能である。【０１２５】
本発明は、以下のような形態を採ることが可能である。すなわち、本発明の基地局装置は、マルチキャリア通信システムに適用される基地局装置であって、基地局装置情報に基づいてプライマリ同期チャネルを生成するプライマリ同期チャネル生成部と、基地局装置情報に基づいて第１の信号および第２の信号の組み合わせによって構成されるセカンダリ同期チャネルを生成するセカンダリ同期チャネル生成部と、前記セカンダリ同期チャネルに乗算する第１のスクランブル符号を前記プライマリ同期チャネルに基づいて生成する第１のスクランブル符号生成部と、前記第２の信号に乗算する第２のスクランブル符号を前記第１の信号に基づいて生成する第２のスクランブル符号生成部と、を備え、フレームタイミング情報を、前記第１または第２のスクランブル符号生成部のいずれか一方に入力し、前記入力したフレームタイミング情報に基づいて生成した前記第１または第２のスクランブル符号を、異なるサブフレームを識別する識別情報として使用することを特徴としている（１）。【０１２６】
このように、フレームタイミング情報に基づいて生成した第１または第２のスクランブル符号を、異なるサブフレームを識別する識別情報として使用するので、セカンダリ同期チャネルを構成する各系列の候補数を減らすことができ、移動局装置の簡略化および相関処理にかかる時間を減少させ、消費電力を抑制することが可能となる。また、候補となる系列が減るので、系列の選択誤り確率が下がり、セルサーチ性能を向上させることが可能となる。【０１２７】
また、本発明の基地局装置において、前記第１のスクランブル符号生成部は、前記プライマリ同期チャネルおよびフレームタイミング情報に基づいて、２つの異なる第１のスクランブル符号を生成し、前記生成した各第１のスクランブル符号を、異なるサブフレームを識別する識別情報として使用することを特徴としている（２）。【０１２８】
この構成により、同一基地局装置内のセルのセカンダリ同期チャネルは、それぞれプライマリ同期チャネルに対応する第１のスクランブル符号によって異なるスクランブル処理が施されるため、干渉が減少し、セルサーチ性能を向上させることが可能となる。また、第１のスクランブル符号によってフレームタイミングが示されるため、移動局装置で保持するセカンダリ同期チャネル系列の数が減少し、移動局装置の構成を簡略化することが可能となる。また、セルサーチ性能の向上に伴うセルサーチ時間の低減によって、移動局装置の消費電力を下げることができる。【０１２９】
また、本発明の基地局装置において、前記第２のスクランブル符号生成部は、前記第１の信号およびフレームタイミング情報に基づいて、２つの異なる第２のスクランブル符号を生成し、前記生成した各第２のスクランブル符号を、異なるサブフレームを識別する識別情報として使用することを特徴としている（３）。【０１３０】
この構成により、同一基地局装置内のセルのセカンダリ同期チャネルは、それぞれプライマリ同期チャネルに対応する第１のスクランブル符号によって異なるスクランブル処理が施されるため、干渉が減少し、セルサーチ性能を向上させることが可能となる。また、個別スクランブル符号によってフレームタイミングが示されるため、移動局装置で保持するセカンダリ同期チャネル系列の数が減少し、移動局装置の構成を簡略化することが可能となる。また、セルサーチ性能の向上に伴うセルサーチ時間の低減によって、移動局装置の消費電力を下げることが可能となる。【０１３１】
また、本発明の基地局装置は、周波数軸方向で、前記第１の信号および第２の信号をサブフレーム毎に交互に配置するマッピングを行なうマッピング部を更に備え、前記第１のスクランブル符号生成部は、前記プライマリ同期チャネルおよびフレームタイミング情報に基づいて、２つの異なる第１のスクランブル符号を生成し、前記生成した各第１のスクランブル符号を、異なるサブフレームを識別する識別情報として使用することを特徴としている（４）。【０１３２】
このように、サブフレーム間で第１の信号および第２の信号の配置が異なるため、移動局装置におけるセカンダリ同期チャネルの検出率を向上させることが可能となる。また、同一基地局装置内のセルのセカンダリ同期チャネルは、それぞれプライマリ同期チャネルに対応する第１のスクランブル符号によって異なるスクランブル処理が施されるため、干渉が減少し、セルサーチ性能を向上させることが可能となる。また、第１のスクランブル符号によってフレームタイミングが示されるため、移動局装置で保持するセカンダリ同期チャネル系列の数が減少し、移動局装置の構成を簡略化することが可能となる。また、セルサーチ性能の向上に伴うセルサーチ時間の低減によって、移動局装置の消費電力を下げることが可能となる。【０１３３】
また、本発明の基地局装置は、周波数軸方向で、前記第１の信号および第２の信号をサブフレーム毎に交互に配置するマッピングを行なうマッピング部を更に備え、前記第２のスクランブル符号生成部は、前記第１の信号およびフレームタイミング情報に基づいて、２つの異なる第２のスクランブル符号を生成し、前記生成した各第２のスクランブル符号を、異なるサブフレームを識別する識別情報として使用することを特徴としている（５）。【０１３４】
このように、サブフレーム間で第１の信号および第２の信号の配置が異なるため、移動局装置におけるセカンダリ同期チャネルの検出率を向上させることが可能となる。また、同一基地局装置内のセルのセカンダリ同期チャネルは、それぞれ第２のスクランブル符号によって異なるスクランブル処理が施されるため、干渉が減少し、セルサーチ性能を向上させることが可能となる。また、第２のスクランブル符号によってフレームタイミングが示されるため、移動局装置で保持するセカンダリ同期チャネル系列の数が減少し、移動局装置の構成を簡略化することが可能となる。また、セルサーチ性能の向上に伴うセルサーチ時間の低減によって、移動局装置の消費電力を下げることが可能となる。【０１３５】
また、本発明の基地局装置は、前記第１のスクランブル符号を、異なるサブフレーム毎に所定の巡回シフトを行なうことによって、フレームタイミング情報を示すことを特徴としている（６）。【０１３６】
この構成により、プライマリ同期チャネルに基づく第１のスクランブル符号によってフレームタイミングを示すことが可能となる。【０１３７】
また、本発明の基地局装置は、前記生成した各第２のスクランブル符号を、異なるサブフレーム毎に前記第２の信号にそれぞれ乗算することによって、フレームタイミング情報を示すことを特徴としている（７）。【０１３８】
この構成により、第１の信号に基づく第２のスクランブル符号によってフレームタイミングを示すことが可能となる。【０１３９】
また、本発明の移動局装置は、請求項２から請求項７のいずれかに記載の基地局装置から送信されたプライマリ同期チャネルおよびセカンダリ同期チャネルを受信し、少なくともフレームタイミング情報および基地局装置情報を取得する移動局装置であって、受信した前記プライマリ同期チャネルに基づいて第１のスクランブル符号を選択する選択部と、受信した前記セカンダリ同期チャネルと前記選択した第１のスクランブル符号とに基づいて、相関値を算出することにより第１の信号を検出する一方、前記セカンダリ同期チャネルと、前記検出した第１の信号に基づく第２のスクランブル符号とに基づいて、相関値を算出することにより第２の信号を検出し、前記検出した第１および第２の信号に基づいて、少なくともフレームタイミング情報および基地局装置情報を取得する検出部と、を備えることを特徴としている（８）。【０１４０】
この構成により、セカンダリ同期チャネルを構成する各系列の候補数を減らすことができ、装置構成の簡略化および相関処理にかかる時間を減少させ、消費電力を抑制することが可能となる。また、候補となる系列が減るので、系列の選択誤り確率が下がり、セルサーチ性能を向上させることが可能となる。【０１４１】
また、本発明の通信システムは、請求項２から請求項７のいずれかに記載の基地局装置と、請求項８記載の移動局装置と、から構成されることを特徴としている（９）。【０１４２】
この構成により、セカンダリ同期チャネルを構成する各系列の候補数を減らすことができ、移動局装置の簡略化および相関処理にかかる時間を減少させ、消費電力を抑制することが可能となる。また、候補となる系列が減るので、系列の選択誤り確率が下がり、セルサーチ性能を向上させることが可能となる。【０１４３】
また、本発明の通信方法は、マルチキャリア通信システムに適用される通信方法であって、プライマリ同期チャネル生成部において、基地局装置情報に基づいてプライマリ同期チャネルを生成するステップと、セカンダリ同期チャネル生成部において、基地局装置情報に基づいて第１の信号および第２の信号の組み合わせによって構成されるセカンダリ同期チャネルを生成するステップと、第１のスクランブル符号生成部において、前記セカンダリ同期チャネルに乗算する第１のスクランブル符号を前記プライマリ同期チャネルに基づいて生成するステップと、第２のスクランブル符号生成部において、前記第２の信号に乗算する第２のスクランブル符号を前記第１の信号に基づいて生成するステップと、フレームタイミング情報を、前記第１または第２のスクランブル符号生成部のいずれか一方に入力するステップと、を少なくとも含み、前記入力したフレームタイミング情報に基づいて生成した前記第１または第２のスクランブル符号を、異なるサブフレームを識別する識別情報として使用することを特徴としている（１０）。【０１４４】
この構成により、セカンダリ同期チャネルを構成する各系列の候補数を減らすことができ、移動局装置の簡略化および相関処理にかかる時間を減少させ、消費電力を抑制することが可能となる。また、候補となる系列が減るので、系列の選択誤り確率が下がり、セルサーチ性能を向上させることが可能となる。【０１４５】
なお、以上説明した実施形態において、移動局装置および基地局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。なお、ここでいう「コンピュータシステム」とは、ＯＳや周辺機器等のハードウェアを含むものとする。【０１４６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムにすでに記録されているプログラムとの組み合わせで実現できるものであっても良い。【０１４７】
以上、この発明の実施形態について図面を参照して詳述してきたが、具体的な構成はこの実施形態に限られるものではなく、この発明の要旨を逸脱しない範囲の設計等も請求の範囲に含まれる。
【図１】
2009020017.tif 000003
【図２】
2009020017.tif 000004
【図３】
2009020017.tif 000005
【図４Ａ】
2009020017.tif 000006
【図４Ｂ】
2009020017.tif 000007
【図４Ｃ】
2009020017.tif 000008
【図５】
2009020017.tif 000009
【図６】
2009020017.tif 000010
【図７】
2009020017.tif 000011
【図８Ａ】
2009020017.tif 000012
【図８Ｂ】
2009020017.tif 000013
【図８Ｃ】
2009020017.tif 000014
【図９】
2009020017.tif 000015
【図１０】
2009020017.tif 000016
【図１１】
2009020017.tif 000017
【図１２】
2009020017.tif 000018
【図１３Ａ】
2009020017.tif 000019
【図１３Ｂ】
2009020017.tif 000020
【図１３Ｃ】
2009020017.tif 000021
【図１３Ｄ】
2009020017.tif 000022
【図１４】
2009020017.tif 000023
【図１５】
2009020017.tif 000024
【図１６】
2009020017.tif 000025
【図１７】
2009020017.tif 000026
【図１８】
2009020017.tif 000027
【図１９】
2009020017.tif 000028
【図２０】
2009020017.tif 000029
【図２１】
2009020017.tif 000030
【図２２】
2009020017.tif 000031
【図２３】
2009020017.tif 000032
【図２４】
2009020017.tif 000033
【国際調査報告】
2009020017.tif 000034
2009020017.tif 000035
2009020017.tif 000036
2009020017.tif 000037